(57)【要約】【課題】遊技領域を形成する遊技盤を前面枠に対して着脱可能に配設し、該遊技盤に形成された表示用窓部において遊技に関わる表示ゲームを表示するようにした遊技機において、表示用窓部に対する表示ユニットの位置合わせを容易にする。【解決手段】表示ユニット１７３を、左右方向および／または上下方向に移動可能な状態で前面枠１２０側に配設し、遊技盤１の裏面に位置調整部材１３７，１３８を設けるとともに、該表示ユニット１７３に該位置調整部材１３７，１３８に対応する被位置調整部２０，２１を設け、遊技盤１の前面枠１２０への装着時に自動的に表示ユニット１７３が該遊技盤１の表示用窓部１２に対する適正位置に移動するようにして、表示用窓部１２から表示ユニット１７３の表示部のうち画像を表示する領域が確実に臨むようにし、表示ユニット１７３の位置合わせを容易にする。【選択図】図２
2006320620.tif 000002
【特許請求の範囲】
【請求項１】
遊技領域を形成する遊技盤を前面枠に対して着脱可能に配設し、該遊技盤に形成された表示用窓部において遊技に関わる表示ゲームを表示するようにした遊技機において、
前記前面枠における前記遊技盤の後方位置に、前記表示ゲームを実行する表示ユニットを設け、
前記表示ユニットは、左右方向および／または上下方向に移動可能な状態で前記前面枠側に配設され、
前記遊技盤の裏面に前記表示ユニットの位置を調整可能な位置調整部材を設けるとともに、該表示ユニットに該位置調整部材に対応する被位置調整部を設け、
前記遊技盤の前記前面枠への装着時に、前記位置調整部材が前記被位置調整部に作用して、前記表示ユニットが該遊技盤の表示用窓部に対する適正位置に移動するようにしたことを特徴とする遊技機。
【請求項２】
遊技領域を形成する遊技盤を前面枠に対して着脱可能に配設し、該遊技盤に形成された表示用窓部において遊技に関わる表示ゲームを表示するようにした遊技機において、
前記表示ゲームを実行する表示ユニットを前記遊技盤の後方側に配置するための裏機構枠を前記前面枠の裏面に開閉可能に設け、
前記表示ユニットは、左右方向および／または上下方向に移動可能な状態で前記裏機構枠に配設されることで該裏機構枠を介して前記前面枠側に配設され、
前記遊技盤の裏面に前記表示ユニットの位置を調整可能な位置調整部材を設けるとともに、該表示ユニットに該位置調整部材に対応する被位置調整部を設け、
前記裏機構枠の閉鎖時に、前記位置調整部材が前記被位置調整部に作用して、前記表示ユニットが該遊技盤の表示用窓部に対する適正位置に移動するようにしたことを特徴とする遊技機。
【請求項３】
前記表示ユニットは、前後に移動可能であって前方側に付勢された状態で前記前面枠側に配設され、前記前面枠に装着された遊技盤の後方側突出量に応じて前後に移動することを特徴とする請求項１または請求項２に記載の遊技機。
【請求項４】
前記位置調整部材は、前記遊技盤の裏面から後方側に突出形状であってその後端部がＶ字状の溝を有し、
前記被位置調整部が前記溝の内部傾斜面に誘導されて該溝の中央部に移動することで、前記表示ユニットが適正位置に移動するようにしたことを特徴とする請求項１から請求項３の何れか一項に記載の遊技機。
【請求項５】
前記被位置調整部は、前記溝の内部傾斜面において誘導される際に回転可能なローラを有することを特徴とする請求項４に記載の遊技機。
【請求項６】
前記位置調整部材は、前記Ｖ字状の溝が上下方向に形成された第１の位置調整部材と、該Ｖ字状の溝が左右方向に形成された第２の位置調整部材と、から構成され、
前記第１の位置調整部材により前記表示ユニットの左右方向の位置を調整するとともに、前記第２の位置調整部材により該表示ユニットの上下方向の位置を調整するようにしたことを特徴とする請求項４または請求項５に記載の遊技機。
【請求項７】
前記表示ユニットを前記前面枠に配設するための表示枠ユニットを設け、
前記表示枠ユニットは、前記表示ユニットが移動可能な内部収納空間を有することを特徴とする請求項１から請求項６の何れか一項に記載の遊技機。
【請求項８】
前記遊技盤には、当該遊技盤に形成された開口部に挿入されて前記表示用窓部を形成するセンターケースが設けられ、
前記遊技盤の裏面側に、前記センターケースと位置合わせされて配設されるとともに当該遊技盤の裏面における所要機能を有する裏面構成部材を設け、
前記位置調整部材を前記裏面構成部材に一体的に設けたことを特徴とする請求項１から請求項７の何れか一項に記載の遊技機。
【発明の詳細な説明】
【技術分野】
【０００１】
本発明は、遊技領域を形成する遊技盤を本体枠に対して着脱可能に配設し、該遊技盤に形成された表示用窓部において遊技に関わる表示ゲームを表示するようにした遊技機に関する。
【背景技術】
【０００２】
従来、遊技領域を形成する遊技盤を本体枠（前面枠）に着脱自在に装着するようにした遊技機が知られている。遊技盤には複数の識別情報を変動表示可能な変動表示装置（表示ユニット）が備えられ各機種固有の画像を表示し、また、遊技盤には各機種固有の装飾部材やセル板が設けられている。最近では、前記変動表示装置として液晶表示装置等を設けることが増えている。
そして、遊技機の機種を変更する際には、遊技機全体を交換せずに、遊技盤のみを交換することも可能であるが、従来の遊技機の場合には、遊技盤に変動表示装置が取り付けられていることから、遊技盤の交換の際には比較的高価な変動表示装置も交換することとなっている。
【０００３】
また、変動表示装置を本体枠側に配設して遊技盤と変動表示装置（液晶表示器）を別構成にすることで、遊技盤を交換する際でも、変動表示装置をそのまま本体枠側に残せるようにした遊技機も考えられている（例えば、特許文献１参照）。
【特許文献１】特開２００３−３２００９４公報
【発明の開示】
【発明が解決しようとする課題】
【０００４】
しかしながら、従来の遊技機においては、遊技盤の裏面の本体枠側に変動表示装置を配置するようにしているが、該変動表示装置の画像を表示するために、遊技盤を透明な合成樹脂で成型して、画像を透かして見えるように構成していたため、以下のような課題が生じていた。
・遊技盤を合成樹脂で形成した場合に、植設されている障害釘や風車等の保持力が低下して、脱落する可能性がある。また、障害釘を調整することも困難であり、調整によりさらに保持力が低下してしまう。
・入賞口を形成した場合に、裏面側の流路が透けて見えてしまい装飾効果が低下してしまう。
【０００５】
そこで、特許文献１に示された遊技機のように、入賞領域をゲートタイプにすることも考えられるが、ゲートタイプでは、検出機構が複雑で大掛かりなものになってしまうし、ゲートタイプは通過した遊技球が再び遊技領域を流下する構成であるので、すべての入賞領域をゲートタイプにしてしまうと、あまり多くの入賞領域を備えることができない等、遊技内容を規制してしまう。
これに対し、木製等の遊技盤に表示用窓部を形成して、その窓部から本体枠に配設された後方側の変動表示装置の表示部を臨ませるようにすれば、上記課題を解決することができ、しかも、必要以上に表示器を大型にしなくても良いといった新たな効果も生じることとなる。
【０００６】
しかしながら、遊技盤の表示用窓部は機種毎にその位置が変化したり、また、機種毎に表示部のうち表示窓部に臨ませる領域が変化したりすることとなるが、それに対して変動表示装置が本体枠に固定されて取り付けられてしまうと、表示用窓部の位置が大きく変化したような遊技機の場合に、その表示用窓部に対応して予め設定されている表示部の一部を表示用窓部に臨ませることが困難となってしまう。また、その都度変動表示装置を取り外して新たな遊技盤に対応した位置に再度取り付け直すのも多大な労力を要することとなる。
【０００７】
本発明の課題は、遊技領域を形成する遊技盤を前面枠に対して着脱可能に配設し、該遊技盤に形成された表示用窓部において遊技に関わる表示ゲームを表示するようにした遊技機において、表示用窓部に対する表示ユニットの位置合わせを容易にすることである。
【課題を解決するための手段】
【０００８】
以上の課題を解決するため、請求項１に記載の発明は、遊技領域を形成する遊技盤を前面枠に対して着脱可能に配設し、該遊技盤に形成された表示用窓部において遊技に関わる表示ゲームを表示するようにした遊技機において、
前記前面枠における前記遊技盤の後方位置に、前記表示ゲームを実行する表示ユニットを設け、
前記表示ユニットは、左右方向および／または上下方向に移動可能な状態で前記前面枠側に配設され、
前記遊技盤の裏面に前記表示ユニットの位置を調整可能な位置調整部材を設けるとともに、該表示ユニットに該位置調整部材に対応する被位置調整部を設け、
前記遊技盤の前記前面枠への装着時に、前記位置調整部材が前記被位置調整部に作用して、前記表示ユニットが該遊技盤の表示用窓部に対する適正位置に移動するようにしたことを特徴とする。
【０００９】
ここで、表示ユニットが前面枠側に配設されるとは、表示ユニットが直接前面枠に取り付けられる構成の他、間接的に（例えば他の部材を介して）前面枠に取り付けられる構成も含む。
【００１０】
請求項１に記載の発明によれば、前面枠における遊技盤の後方位置に、表示ゲームを実行する表示ユニットを設けたので、表示ユニットが遊技盤ではなく前面枠側に設けられることとなり、遊技盤を交換する場合でも表示ユニットを交換する必要がなく、表示ユニットを新たな遊技盤でも使用できるといった効果を奏する。また、遊技機の入れ替え時に遊技機全体を交換する場合でも、表示ユニットは遊技盤と別構成であるので、表示ユニットを簡単に取り外せることから、表示ユニットを再利用する際にも効果的である。
【００１１】
また、表示ユニットは、左右方向および／または上下方向に移動可能な状態で前面枠側に配設され、遊技盤の裏面に位置調整部材を設けるとともに、該表示ユニットに該位置調整部材に対応する被位置調整部を設け、遊技盤の前面枠への装着時に表示ユニットが該遊技盤の表示用窓部に対する適正位置に移動するようにしたので、表示用窓部から表示ユニットの表示部のうち画像を表示する領域を確実に臨ませることが可能となる。
さらに、遊技盤の前面枠への装着時に自動的に表示ユニットが適正位置に移動することとなるので、表示ユニットの位置合わせ作業のような所要の作業等も必要がなく、遊技盤の交換作業の効率が向上する。
【００１２】
請求項２に記載の発明は、遊技領域を形成する遊技盤を前面枠に対して着脱可能に配設し、該遊技盤に形成された表示用窓部において遊技に関わる表示ゲームを表示するようにした遊技機において、
前記表示ゲームを実行する表示ユニットを前記遊技盤の後方側に配置するための裏機構枠を前記前面枠の裏面に開閉可能に設け、
前記表示ユニットは、左右方向および／または上下方向に移動可能な状態で前記裏機構枠に配設されることで該裏機構枠を介して前記前面枠側に配設され、
前記遊技盤の裏面に前記表示ユニットの位置を調整可能な位置調整部材を設けるとともに、該表示ユニットに該位置調整部材に対応する被位置調整部を設け、
前記裏機構枠の閉鎖時に、前記位置調整部材が前記被位置調整部に作用して、前記表示ユニットが該遊技盤の表示用窓部に対する適正位置に移動するようにしたことを特徴とする。
【００１３】
請求項２に記載の発明によれば、前面枠の裏面に開閉可能に設けられた裏機構枠に、表示ゲームを実行する表示ユニットを配設し、前面枠における遊技盤の後方位置に表示ユニットを設けたので、表示ユニットが遊技盤ではなく前面枠側に設けられることとなり、遊技盤を交換する場合でも表示ユニットを交換する必要がなく、表示ユニットを新たな遊技盤でも使用できるといった効果を奏する。また、遊技機の入れ替え時に遊技機全体を交換する場合でも、表示ユニットは遊技盤と別構成であるので、表示ユニットを簡単に取り外せることから、表示ユニットを再利用する際にも効果的である。
【００１４】
また、表示ユニットは、左右方向および／または上下方向に移動可能な状態で裏機構枠を介して前面枠側に配設され、遊技盤の裏面に位置調整部材を設けるとともに、該表示ユニットに該位置調整部材に対応する被位置調整部を設け、裏機構枠の閉鎖時に表示ユニットが該遊技盤の表示用窓部に対する適正位置に移動するようにしたので、表示用窓部から表示ユニットの表示部のうち画像を表示する領域を確実に臨ませることが可能となる。
さらに、裏機構枠の閉鎖時に自動的に表示ユニットが適正位置に移動することとなるので、表示ユニットの位置合わせ作業のような所要の作業等も必要がなく、遊技盤の交換作業の効率が向上する。
【００１５】
また、裏機構枠は開閉可能であるので、遊技盤を前面枠の前方から装着する構成だけでなく、後方から装着（あるいはサイドからスライド挿入）する構成にも対応することができる。特に、遊技盤を前面枠の後方から装着（あるいはサイドからスライド挿入）する構成においては、遊技盤を装着した後に裏機構枠を閉鎖することとなるが、この際に表示ユニットが適正位置に移動するようになる。
【００１６】
請求項３に記載の発明は、請求項１または請求項２に記載の遊技機であって、前記表示ユニットは、前後に移動可能であって前方側に付勢された状態で前記前面枠側に配設され、前記前面枠に装着された遊技盤の後方側突出量に応じて前後に移動することを特徴とする。
【００１７】
ここで、「遊技盤の後方側突出量」とは、遊技盤の本体の後方側突出量のほか、遊技盤の本体に取り付けられるセンターケース等の後方側突出量を含む。
【００１８】
請求項３に記載の発明によれば、表示ユニットは、前後に移動可能であって前方側に付勢された状態で前面枠側に配設され、前面枠に装着された遊技盤の後方側突出量に応じて前後に移動するので、新たな遊技盤を装着する際に、遊技盤の形状（後方側の突出量）が変化しても、表示ユニットの前後動でそれを吸収することができ、突出量によって新たな遊技盤が装着できないといった課題を解決できる。
【００１９】
請求項４に記載の発明は、請求項１から請求項３の何れか一項に記載の遊技機であって、前記位置調整部材は、前記遊技盤の裏面から後方側に突出形状であってその後端部がＶ字状の溝を有し、
前記被位置調整部が前記溝の内部傾斜面に誘導されて該溝の中央部に移動することで、前記表示ユニットが適正位置に移動するようにしたことを特徴とする。
【００２０】
請求項４に記載の発明によれば、位置調整部材は、遊技盤の裏面から後方側に突出形状であってその後端部がＶ字状の溝を有し、被位置調整部が溝の内部傾斜面に誘導されて該溝の中央部に移動することで、表示ユニットが適正位置に移動するので、表示ユニットを確実に適正位置に移動させることができる。
また、溝がＶ字状であるので比較的大きい範囲で被位置調整部を移動させることができる上、溝の中央部（Ｖ字状の溝の谷底の部分）で確実に被位置調整部を保持することができる。特に、表示ユニットは前方側に付勢されているので、位置調整部材のＶ字状の溝で最も前側に位置する溝の中央部に、被位置調整部を保持するのに十分な保持力を確保できる。
【００２１】
請求項５に記載の発明は、請求項４に記載の遊技機であって、前記被位置調整部は、前記溝の内部傾斜面において誘導される際に回転可能なローラを有することを特徴とする。
【００２２】
請求項５に記載の発明によれば、被位置調整部は、溝の内部傾斜面において誘導される際に回転可能なローラを有するので、表示ユニットがスムーズに所定位置へ誘導される。
【００２３】
請求項６に記載の発明は、請求項４または請求項５に記載の遊技機であって、前記位置調整部材は、前記Ｖ字状の溝が上下方向に形成された第１の位置調整部材と、該Ｖ字状の溝が左右方向に形成された第２の位置調整部材と、から構成され、
前記第１の位置調整部材により前記表示ユニットの左右方向の位置を調整するとともに、前記第２の位置調整部材により該表示ユニットの上下方向の位置を調整するようにしたことを特徴とする。
【００２４】
請求項６に記載の発明によれば、位置調整部材は、Ｖ字状の溝が上下方向に形成され、表示ユニットの左右方向の位置を調整する第１の位置調整部材と、該Ｖ字状の溝が左右方向に形成され、表示ユニットの上下方向の位置を調整する第２の位置調整部材と、から構成されているので、表示ユニットの左右方向および上下方向の位置を正確に調整することができる。
【００２５】
請求項７に記載の発明は、請求項１から請求項６の何れか一項に記載の遊技機であって、前記表示ユニットを前記前面枠に配設するための表示枠ユニットを設け、
前記表示枠ユニットは、前記表示ユニットが移動可能な内部収納空間を有することを特徴とする。
【００２６】
ここで、「表示ユニットが移動可能」とは、例えば、表示ユニットが左右方向および／または上下方向に移動可能なことである。
【００２７】
請求項７に記載の発明によれば、表示ユニットを前面枠に配設するための表示枠ユニットを設け、表示枠ユニットは、表示ユニットが移動可能な内部収納空間を有しているので、表示ユニットを表示枠ユニットの内部収納空間内に収納し、表示ユニットを前面枠側に配設した上で、表示ユニットの位置を調整する際に確実に当該表示ユニットを移動させることが可能となる。すなわち、表示ユニットの移動空間を確実に確保することができる。
【００２８】
請求項８に記載の発明は、請求項１から請求項７の何れか一項に記載の遊技機であって、前記遊技盤には、当該遊技盤に形成された開口部に挿入されて前記表示用窓部を形成するセンターケースが設けられ、
前記遊技盤の裏面側に、前記センターケースと位置合わせされて配設されるとともに当該遊技盤の裏面における所要機能を有する裏面構成部材を設け、
前記位置調整部材を前記裏面構成部材に一体的に設けたことを特徴とする。
【００２９】
ここで、「所要機能」とは、例えば、入賞球誘導機能（入賞球流路）、配線処理機能、中継基板の配設機能、電気的発光機器の配設機能である。
また、「一体的」とは、合成樹脂の一体成型のほか、ねじ等により固定されるものも含む。
【００３０】
請求項８に記載の発明によれば、遊技盤には、表示用窓部を形成するセンターケースが設けられ、遊技盤の裏面側に、センターケースと位置合わせされて配設されるとともに当該遊技盤の裏面における所要機能を有する裏面構成部材を設け、位置調整部材を裏面構成部材に一体的に設けたので、センターケースと位置調整部材との位置を正確に設定することができるようになり、表示用窓部に対して表示ユニットを正確な位置に調整することができる。
【発明の効果】
【００３１】
本発明によれば、前面枠における遊技盤の後方位置に、表示ゲームを実行する表示ユニットを設けたので、表示ユニットを新たな遊技盤でも使用できる。また、遊技機の入れ替え時に遊技機全体を交換する場合でも、表示ユニットは遊技盤と別構成であるので、簡単に表示ユニットを再利用できる。
また、表示ユニットは、左右方向および／または上下方向に移動可能な状態で前面枠側に配設され、遊技盤の裏面に位置調整部材を設けるとともに、該表示ユニットに該位置調整部材に対応する被位置調整部を設け、遊技盤の前面枠への装着時に表示ユニットが該遊技盤の表示用窓部に対する適正位置に移動するようにしたので、表示用窓部から表示ユニットの表示部のうち画像を表示する領域を確実に臨ませることが可能となる。
さらに、遊技盤の前面枠への装着時に自動的に表示ユニットが適正位置に移動するので、表示ユニットの位置合わせ作業のような所要の作業等も必要がない。
【発明を実施するための最良の形態】
【００３２】
以下、この発明の実施形態について図面を参照して説明する。
ここでは、本発明にかかる遊技機の適例としてのパチンコ遊技機について図１から図１０を用いて説明を行う。
【００３３】
図１に示すように、本実施形態の遊技機１００は、矩形枠状に構成された機枠１１０を備え、この機枠１１０の一側方には、該機枠１１０に対し回動可能に矩形枠状の前面枠１２０が軸支されている。なお、図１は機枠１１０を有する遊技機１００全体の背面側を示し、図２は機枠１１０から取り外された前面枠１２０を示す。
また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示枠ユニット１７０を備える裏機構枠１６０とを有する。
【００３４】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００３５】
また、前面枠本体１３０の遊技盤１が嵌め込まれた開口部、すなわち、前面枠本体１３０の中央より少し下側から上端部にわたる部分には、前面枠本体１３０の前側を覆うように前記クリア部材保持枠１４０が配置されており、遊技盤１の前面と前記クリア部材保持枠１４０に嵌め込まれたクリア部材としてのガラス板との間で、遊技盤１の前面に設けられたガイドレール（図示略）に囲まれた部分が、遊技球が発射されて流下する遊技領域（図示略）とされている。
【００３６】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域の前側を開放可能となっている。
クリア部材保持枠１４０には、前面枠本体１３０の開口部をほぼ閉塞するように、該開口部に嵌め込まれた遊技盤１との間に遊技球が流下可能な遊技領域となる間隔を開けて二重のガラス板が固定されている。そして、クリア部材保持枠１４０において、遊技機１００の前側からガラス板を介して遊技盤１の前面側の少なくとも遊技領域の部分が視認可能となっている。また、クリア部材保持枠１４０の前面であって、ガラス板が固定されて遊技領域を視認可能とする部分の周囲には、枠装飾装置５７（図１０に図示）としてのランプやＬＥＤなどが設けられている。
【００３７】
また、前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネルとその下の下部パネルとからなる。開閉パネルは、排出された遊技球を貯留するとともに、遊技球を発射する発射装置６０（図１０に図示）に遊技球を送る上皿を有している。この上皿の周囲には、遊技者が操作可能な演出用ボタン５９（図１０に図示）が設けられている。また、開閉パネルの下側の下部パネルには、上皿に収容しきれない遊技球を収容する下皿及び灰皿と、遊技領域に向けての遊技球の発射操作を行うとともに、該遊技領域に遊技球を発射する際の発射勢を調節するための操作ハンドル１５１、音声を出力するスピーカ５８（図１０に図示）などが設けられている。
【００３８】
また、前面枠本体１３０の裏面側であって、遊技盤１が嵌め込まれた開口部の上端部から中央より少し下側にわたる部分には、前面枠本体１３０の裏面側を覆うように裏機構枠１６０が配置されている。
図２に示すように、裏機構枠１６０の前面の左側の端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。
【００３９】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００４０】
図２，３に示すように、前面枠本体１３０の開口部に嵌め込まれる遊技盤１は、図示しないその前面に略円形に配されたガイドレールで囲まれた遊技領域を有し、この遊技領域内に遊技球（打球；遊技媒体）を発射して遊技を行うようになっている。
遊技領域内には、図示しないが、普図始動ゲート、この普図始動ゲートを遊技球が通過して普図変動表示ゲームが未処理となっている未処理回数を表示する普図始動記憶表示器、普通図柄の変動表示ゲームを表示する普図変動表示器が設けられている。また、普通変動入賞装置と、この普通変動入賞装置に遊技球が入賞して特図変動表示ゲームが未処理となっている未処理回数を点灯表示する特図始動記憶表示器、特別図柄（特図、識別情報）の変動表示ゲームの表示領域となる表示用窓部１２を形成するセンターケース１１（裏面側を図２に図示）、特別変動入賞装置、遊技盤装飾装置５４（図１０に図示）、一般入賞口、風車と呼ばれる打球方向変換部材、多数の障害釘などが設けられている。
【００４１】
普図始動ゲート内には、該普図始動ゲートを通過した遊技球を検出するためのゲートセンサが設けられている。そして、遊技領域内に打ち込まれた遊技球が、普図始動ゲート内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、特図の変動表示ゲームの表示領域の一部で普図変動表示ゲームを表示するようにしても良い。この普図の変動表示ゲームの結果、普図変動表示器における停止表示が特別の結果態様となれば、普図の当たりとなって、普通変動入賞装置の開閉部材が所定時間（例えば、０.５秒間）後述のように開放される。これにより、普通変動入賞装置に遊技球が入賞しやすくなり、特図の変動表示ゲームの始動が容易となる。
【００４２】
普通変動入賞装置は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置に遊技球が流入し易い状態（遊技者にとって有利な状態）に変化されるようになっている。
この普通変動入賞装置は、特図の始動入賞口も兼ねている。すなわち、普通変動入賞装置の内部（入賞領域）に備えられた始動口センサ５０（図１０に図示）により遊技球を検出することに基づき始動条件が成立し、特図の変動表示ゲームが開始されるようになっている。
【００４３】
図２，３に示すように、遊技盤１（遊技領域）の略中央部には、特図の変動表示ゲームの表示領域となる表示用窓部１２を形成するセンターケース１１が取り付けられている。
センターケース１１は、断面が複雑な曲線となった筒状の部材であって、筒状の空間が延在する方向が遊技盤１の前後方向に沿うように、遊技盤本体１０の略中央部に形成された開口部１４に挿入された状態で取り付けられている。なお、開口部１４は、断面が複雑な曲線となったセンターケース１１の断面形状に合わせて形成されている。
【００４４】
センターケース１１の前端面には装飾が施されているとともに、遊技盤装飾装置５４としての盤装飾ランプが設けられている。また、センターケース１１の内周面のうち下側となる部分は、遊技球が転動可能なステージとなっている。センターケース１１の後部は、遊技盤本体１０の裏面よりも後方に突出しており、その後端部１６には、後述する裏機構枠１６０に取り付けられた表示枠ユニット１７０の前面が接するように配される。これによって、筒状のセンターケース１１の開口部である表示用窓部１２を介して、表示枠ユニット１７０の画像表示面１７１（図７に図示）の表示を遊技盤１の前面側から見ることができるようになっている。なお、後述するように画像表示面１７１の面積は表示用窓部１２の面積よりも十分広くなっており、画像表示面１７１上の表示は表示用窓部１２が配された領域のみで行われるように制御されている。
【００４５】
そして、遊技領域内に打ち込まれた遊技球が特図の始動口を兼ねる普通変動入賞装置へ進入して始動条件が成立することに基づき、画像表示面１７１にて複数種類の識別情報（例えば、数字、記号、キャラクタ図柄など）を変動表示させる特別図柄の変動表示ゲームを実行可能となっている。なお、特図の変動表示ゲームは、画像表示面１７１において、複数種類の識別情報を所定時間変動表示させることにより行う。
そして、この特図の変動表示ゲームの結果として、画像表示面１７１の表示態様が特別結果態様（例えば、「７，７，７」等のゾロ目数字の何れか）となった場合には、大当たりとなって特別遊技状態（いわゆる、大当たり状態）となる。
【００４６】
特別変動入賞装置は、上端側が手前側に倒れる方向に回動して開放可能になっているアタッカ形式の開閉扉によって開閉される大入賞口を備えていて、特別遊技状態中は、大入賞口を閉じた状態から開いた状態に変換することにより大入賞口内への遊技球の流入を容易にさせる。なお、開閉扉は、ソレノイド（大入賞口ＳＯＬ５３、図１０に図示）により駆動される。また、大入賞口の内部（入賞領域）には、該大入賞口に入った遊技球を検出するための大入賞口用センサ（カウントセンサ５１、図１０に図示）が配設されている。
【００４７】
また、遊技領域に設けられた各一般入賞口には、一般入賞口に入った遊技球を検出するための一般入賞口センサ５２（図１０に図示）が配設されている。そして、遊技を開始することにより遊技領域内に打ち込まれた遊技球が、一般入賞口、始動入賞口（普通変動入賞装置）、大入賞口（特別変動入賞装置）等の入賞口の何れかに入賞すると、それぞれの入賞口に対応した所定数の賞球としての遊技球が後述の排出発射制御装置３４（排出発射制御基板）の制御により排出装置２００によって上皿に排出される（払い出される）ようになっている。
【００４８】
図２，３に示すように、遊技盤１の裏面側であって、遊技盤１の前面側から見てセンターケース１１の上側及び左側には位置調整部材１３７，１３８が設けられている。
このセンターケース１１の上側（左側）にある位置調整部材１３７（１３８）は、後述するように、表示枠ユニット１７０の前面側から見て上側（左側）に表示枠ユニット１７０の前面と平行でかつほぼ水平（垂直）に設けられた被位置調整部２０（２１）のローラ２０ｂ（２１ｂ）の上下位置（左右位置）に対応して設けられている。
【００４９】
センターケース１１の上側（左側）にある位置調整部材１３７（１３８）は、遊技盤本体１０の裏面から後方に延出して設けられるとともに、後端面に誘導ガイド部１３７ａ（１３８ａ）が形成されている。誘導ガイド部１３７ａ（１３８ａ）は、断面Ｖ字状で左右（上下）に延在する溝状となっているとともに、上下（左右）の中央部にさらに溝状で断面半円状の係合固定部１３７ｂ（１３８ｂ）が形成されている。すなわち、係合固定部１３７ｂ，１３８ｂは、Ｖ字状の溝の谷底となる位置にあって、位置調整部材１３７，１３８の後端面で最も前側の位置となるように形成されている。なお、係合固定部１３７ｂ，１３８ｂの前後位置は、センターケース１１の後端部１６とほぼ同じ前後位置となっている。また、表示ユニット１７３の左右方向のずれ幅が、上下方向のずれ幅より大きくなる可能性が高いため、センターケース１１の左側に設けられた位置調整部材１３８の左右幅は、センターケース１１の上側に設けられた位置調整部材１３７の上下幅よりも広くなっている。
【００５０】
また、遊技盤本体１０の裏面であって、位置調整部材１３７，１３８が取り付けられる部分には、図示しない凹部とねじ止め部が形成されている。なお、この凹部が形成される位置は、遊技盤本体１０に形成された開口１４に挿入されたセンターケース１１に形成された表示用窓部１２の位置を基準としている。そして、位置調整部材１３７，１３８の遊技盤本体１０の裏面に接する面には、遊技盤本体１０の裏面に形成された凹部にちょうど嵌る図示しない凸部が形成されているとともに、ねじ孔１３７ｃ，１３７ｃ，１３８ｃ，１３８ｃが形成されている。位置調整部材１３７，１３８を遊技盤本体１０の裏面に取り付ける際には、位置調整部材１３７，１３８の凸部が遊技盤本体１０に形成された凹部に嵌るように配し、さらに、位置調整部材１３７，１３８に形成されたねじ孔１３７ｃ，１３７ｃ，１３８ｃ，１３８ｃにねじを挿通し、遊技盤本体１０に形成されたねじ止め部に螺合することで、位置調整部材１３７，１３８が適正位置に取り付けられるようになる。
【００５１】
この位置調整部材１３７，１３８は、誘導ガイド部１３７ａ，１３８ａにより被位置調整部２０，２１のローラ２０ｂ，２１ｂを係合固定部１３７ｂ，１３８ｂに案内し、係合固定部１３７ｂ，１３８ｂ内で保持することで、表示枠ユニット１７０に備えられた表示ユニット１７３の上下左右位置を調整するものである。なお、表示ユニット１７３の位置の調整については後に詳しく説明する。
【００５２】
遊技盤１の裏面側であって、センターケース１１の下側には、普通変動入賞装置、大入賞口、一般入賞口などに入賞した遊技球を流下させる入賞球流路や、中継基板などを備えた裏面構成部材４０が取り付けられている。
また、この裏面構成部材４０には、その裏面側に演出データ装置３２を取り付けるためのボス等が形成されており、演出データ装置３２などを遊技盤１の裏面に取り付けるためのベースとしての機能も有する。
【００５３】
また、図１から３および１０に示すように、遊技機１００は、その制御系として遊技の進行を制御する遊技制御装置３０（主制御基板、主制御回路）、この遊技制御装置３０の制御下で各種の演出に関する制御を行う演出データ装置３２（演出ＲＯＭ基板、第１制御回路）、演出制御装置３３（演出制御基板、第２制御回路）、排出装置２００による賞球または貸球の払い出しの制御と、発射装置６０による遊技球の発射の制御を行う排出発射制御装置３４（排出発射制御基板、排出発射制御回路）、電力を供給する電源供給装置３７（電源基板、電源回路）を備えている。
【００５４】
遊技制御装置３０は、図１０に示すようにＣＰＵ３０ｂ、ＲＡＭ３０ｃ、ＲＯＭ３０ｄ等を有する遊技用マイクロコンピュータを備えるとともに、図示しない入出力インタフェース、各種処理の同期やタイマ等のためのパルス信号を出力するクロック（発振器）等により構成されている。
ＣＰＵ３０ｂは、制御部、演算部を備え、演算制御を行う他、特図変動表示ゲームの大当たり判定用乱数値などの各種乱数値なども生成している。
ＲＡＭ３０ｃは、普通変動入賞装置内に設けられた始動口センサ５０のオン信号などを記憶する記憶領域や、前記各種乱数値の記憶領域、並びに、ＣＰＵ３０ｂの作業領域等を備えている。
ＲＯＭ３０ｄには、遊技上の制御プログラムや制御データが書き込まれている他、上述の各種乱数値に対応して、特図の変動表示ゲームの大当り発生を判定するための、特図の変動表示ゲームの大当り判定値、変動パターン（リーチアクションの種類）の判定値などが記憶されている。
【００５５】
また、入出力インタフェースには、ローパスフィルタ及びバッファーゲートを介して、普通変動入賞装置の始動口センサ５０、大入賞口のカウントセンサ５１、一般入賞口の一般入賞口センサ５２などが接続されており、これらからの各種信号が入力され、これら各種信号は、該入出力インタフェースにより中継されて、ＣＰＵ３０ｂに対し出力される。
さらに、入出力インタフェースには、ＣＰＵ３０ｂから出力される各種の制御信号が入力され、これら制御信号は、該入出力インタフェースにより中継されて、図示しない出力ポート及びドライバを介して、普通変動入賞装置や特別変動入賞装置の駆動手段としての各種開閉ソレノイド（例えば、大入賞口ＳＯＬ５３）、演出制御装置３３、賞球の排出や遊技球の発射を制御する排出発射制御装置３４などに出力されている。
【００５６】
演出データ装置３２は、演出の制御内容を記憶した制御ＲＯＭ３２ｃ、画像や映像データが記憶されたキャラクタＲＯＭ３２ｂ、音データが記憶された音声データＲＯＭ３２ｄを備えている。なお、この演出データ装置３２に備えられた各種ＲＯＭの記憶内容は、遊技機の機種に依存するものである。
また、演出データ装置３２は、遊技制御装置３０から出力される制御信号（各種コマンドなど）を中継して演出制御装置３３に送信するようになっている。なお、遊技制御装置３０と演出制御装置３３との間の通信において、演出データ装置３２は単に信号を通過させるのみ（スルー接続）となっている。
さらに、演出データ装置３２は、盤装飾ランプ・ＬＥＤ、装飾用役物（ソレノイド）などの遊技盤装飾装置５４を駆動する盤装飾ドライバ３２ｅを備えており、演出制御装置３３が遊技制御装置３０から受信した制御信号（演出コマンド）に基づいて（遊技制御装置３０の制御の下に）この盤装飾ドライバ３２ｅを制御し、盤装飾を行うようになっている。
【００５７】
また、この演出データ装置３２と直接接続された演出制御装置３３は、制御装置としてのＣＰＵ３３ｂ、ＲＡＭ３３ｃや、表示ユニット１７３（液晶表示パネル１７５）における表示を制御する画像用メモリとしてのＲＡＭや、グラフィックプロセッサとしてのＶＤＰ３３ｄ（video display processor）、画像や映像データが記憶された画像ＲＯＭ（サブ）３３ｅなどを含むビデオ回路、音の出力を制御する音声ＬＳＩ３３ｆ、音量を調節する音声ボリューム３３ｇを備えている。
また、前面枠に設けられたランプ、ＬＥＤなどの前面枠を装飾する枠装飾装置５７を駆動する枠制御ドライバ３３ｈを備えている。さらに、表示ユニット１７３の液晶表示パネル１７５における表示状態を調節するための、輝度調節器３３ｉ、コントラスト調節器３３ｊ、表示位置調節器３３ｋが備えられている。
【００５８】
演出制御装置３３は図示しない入出力インタフェースを有し、この入出力インタフェースにはローパスフィルタ及びバッファーゲートを介して、遊技制御装置３０、演出データ装置３２、遊技機の前面（例えば、上皿の周囲）に設けられた遊技者が操作可能な演出用ボタン５９などが接続されており、これらからの各種信号が入力され、これら各種信号は、該入出力インタフェースにより中継されて、ＣＰＵ３３ｂに対し出力される。
さらに、入出力インタフェースには、ＣＰＵ３３ｂから出力される各種の制御信号が入力され、これら制御信号は、該入出力インタフェースにより中継されて、図示しない出力ポート及びドライバを介して、演出データ装置３２、液晶表示パネル１７５のバックライト５６、枠装飾装置５７（枠装飾ドライバ３３ｈを介して）などに出力されている。なお、ＣＰＵ３３ｂから出力される制御信号のうち、画像の制御に関する制御信号は、ＣＰＵ３３ｂからＶＤＰ３３ｄに出力され、ＶＤＰ３３ｄから該制御信号に基づく画像データが液晶表示器５５に出力される。また、音声の制御に関する制御信号は、ＣＰＵ３３ｂから音声ＬＳＩ３３ｆに出力され、音声ＬＳＩ３３ｆから該制御信号に基づく音声データがスピーカ５８に出力される。
【００５９】
そして、演出制御装置３３は、遊技制御装置３０から演出データ装置３２を介して受信した制御信号（演出コマンド）に基づいて（遊技制御装置３０の制御の下に）、枠装飾装置５７による枠装飾の制御、液晶表示パネル１７５（液晶表示器５５、バックライト５６）の制御、スピーカ５８による音の出力の制御を行う。さらに、遊技制御装置３０から演出データ装置３２を介して受信した制御信号（演出コマンド）に基づいて（遊技制御装置３０の制御の下に）演出データ装置３２に備えられた盤装飾ドライバ３２ｅを介して遊技盤装飾装置５４の制御を行う。
【００６０】
排出発射制御装置３４は、ＣＰＵ，ＲＡＭ，ＲＯＭ等を有するマイクロコンピュータを有し、遊技制御装置３０からの制御信号（賞球コマンド）や、球貸機（図示略）からの制御信号（球貸しコマンド）に基づいて所要数の遊技球（賞球、貸球）を排出装置２００から排出させる制御を行う。また、発射装置６０による遊技球の発射制御を行う。
そして、上述の各制御基板や、遊技機１００に備えられた各装置には、電源供給装置３７（電源回路、電源基板）から電力が供給されるようになっている。なお、演出データ装置３２への電源供給は演出制御装置３３を介して行われるようになっている。
【００６１】
これらの制御回路においては、例えば以下のような制御が行われる。
遊技制御装置３０のＣＰＵ３０ｂでは、普通変動入賞装置に備えられた始動口センサ５０からの遊技球の検出信号の入力に基づき、特図の大当たり判定用乱数値を抽出してＲＯＭ３０ｄに記憶されている判定値と比較し、特図の変動表示ゲームの当たり外れを判定する処理を行う。また、この他に変動パターンの判定を行う処理などを行い、これらの結果を含む制御信号を、演出データ装置３２を介して演出制御装置３３に出力する。演出制御装置３３とこれに接続した演出データ装置３２では、遊技制御装置３０からの制御信号に基づき、表示ユニット１７３の液晶表示パネル１７５で特図の変動表示ゲームを表示する処理や、スピーカ５８からの音の出力、ランプ、ＬＥＤ、装飾用役物などの遊技盤装飾装置５４を制御する処理、ランプ、ＬＥＤなどの枠装飾装置５７を制御する処理を行う。そして、遊技制御装置３０のＣＰＵ３０ｂは、特図の変動表示ゲームが大当たりであった場合に、特別遊技状態を発生し、大入賞口ＳＯＬ５３により特別変動入賞装置を動作する制御を行う。
【００６２】
また、遊技制御装置３０のＣＰＵ３０ｂは、普図始動ゲートに設けられたゲートセンサからの遊技球の検出信号の入力に基づき、上述と同様に普図の変動表示ゲームの当たり外れを判定するとともに演出データ装置３２を介して演出制御装置３３に制御信号を出力し、普図変動表示器に普図変動表示ゲームを表示させる。そして、遊技制御装置３０のＣＰＵ３０ｂは、普図の変動表示ゲームが当たりであった場合に、普通変動入賞装置を動作する制御を行う。
【００６３】
また、遊技制御装置３０のＣＰＵ３０ｂは、各種入賞口に設けられたセンサ（始動口センサ５０、カウントセンサ５１、一般入賞口センサ５２）から入力される遊技球の検出信号に基づき排出発射制御装置３４に制御信号を出力する。排出発射制御装置３４は、制御信号の入力に基づき排出装置２００を制御して所定数の遊技球が払い出されるようにする。また、排出発射制御装置３４は、操作ハンドル１５１の操作に基づく入力および操作ハンドル１５１に設けられた図示しないタッチセンサからの入力に基づき、発射装置６０を制御して遊技球が遊技領域に発射されるようにする。
すなわち、以上のことから主制御回路をなす遊技制御装置３０は、遊技の進行を制御する遊技制御装置をなし、第１制御回路をなす演出データ装置３２と第２制御回路をなす演出制御装置３３とが遊技機１００における種々の演出を制御する演出制御装置をなす。
【００６４】
そして、これらの各基板は以下のように遊技機に取り付けられている。
図２，３に示すように、画像表示面１７１における表示データなど、機種に依存するデータが記憶された演出データ装置３２は、ボックス３２ａに収納された状態で、遊技盤１の裏面側の裏面構成部材４０の裏面側であって、後述する裏機構枠１６０の下部からその下側に取り付けられている。このボックス３２ａの裏面側には、演出制御装置３３と接続するためのコネクタ３２ｆ、遊技制御装置３０と接続するため（遊技制御装置３０と演出制御装置３３との間の中継のため）のコネクタ３２ｇ、遊技盤装飾装置５４と接続するためのコネクタ３２ｈが設けられている。さらに、ボックス３２ａの裏面側には係合部６１，６１，…が形成されており、これによって図１に示すように、ボックス３０ａに収納された遊技を制御する遊技制御装置３０が取り付けられるようになっている。すなわち、ボックス３２ａの裏面は遊技制御装置３０を取り付けるための台座をなす。なお、図２，３では、遊技制御装置３０を取り外した状態を示している。また、ボックス３２ａに隣設して、遊技機外部の装置（管理装置）と接続するための盤用外部出力端子２０６が設けられている。
【００６５】
また、複数の機種で共通使用可能な演出制御装置３３は、ボックス３３ａに収納された状態で前面枠本体１３０の裏面側に取り付けられた後述の裏機構枠１６０に取り付けられている。なお、ボックス３３ａの前側の下部には、コネクタ３３ｍが設けられており、演出データ装置３２のコネクタ３２ｆと接続することで両者が直接接続されるようになっている。
【００６６】
また、排出装置２００による賞球の排出、発射装置６０による遊技球の発射を制御する排出発射制御装置３４、遊技機１００内の各装置に電力を供給する電源回路としての電源供給装置３７は、それぞれボックス３４ａ，３７ａに収納された状態で、前面枠本体１３０の裏面側の遊技盤１より下側となる位置に取り付けられている。
【００６７】
すなわち、機種に依存する演出データ装置３２、遊技制御装置３０は遊技盤１に取り付けられ、複数の機種で共通使用可能な演出制御装置３３や排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００６８】
図４から８，１０に示すように、裏機構枠１６０は、本体部１６１と、画像を表示する表示ユニット１７３を備える表示枠ユニット１７０を支持、案内するためのガイド部１６２とを有し、表示枠ユニット１７０の他、表示枠ユニット１７０を制御する演出制御装置３３、賞球などを排出する排出装置２００、排出装置２００に遊技球を供給する貯留タンク２２０やシュート２４０が取り付けられている。
上述したように、裏機構枠１６０の前から見て左側の端部は、前面枠本体１３０の裏面であって遊技機１００の裏面側から見て右側の側部に回動可能に軸支されており、前面枠本体１３０に形成されて遊技盤１が嵌め込まれる開口部の上側略半分を裏面側から覆って遊技盤１の裏面に臨む状態から、後方に扉状に回動して遊技盤１の裏面側を開放する状態との間で回動可能となっている。すなわち、裏機構枠１６０に表示ユニット１７３が配設されることで、表示ユニット１７３は該裏機構枠１６０を介して前面枠１２０側に配設されることとなる。
【００６９】
裏機構枠１６０の上部には、外部から供給される遊技球を貯留する貯留タンク２２０と、該貯留タンク２２０と一体的に設けられ、該貯留タンク２２０に貯留されている遊技球を下流側に排出可能な排出装置２００と、が設けられている。
【００７０】
貯留タンク２２０は、上面側が開放した概略長方形状の箱体であって、外部（島設備の補球装置）から供給される遊技球を貯留するものである。
この貯留タンク２２０の一側方であって、裏機構枠１６０が前面枠本体１３０に軸着される側には、排出装置２００が一体的に設けられており、貯留タンク２２０の底壁２２１は、排出装置２００が設けられた側に向かって下るように傾斜している。
【００７１】
排出装置２００は、（遊技制御装置３０の制御の下で）排出発射制御装置３４によって制御されるようになっており、賞球もしくは貸球として所定数の遊技球を排出できるようになっている。また、貯留タンク２２０内の遊技球を遊技機外部（島設備の回収樋）に抜き取ることもできるようになっている。
【００７２】
排出装置２００から排出された遊技球は、後述するガイド部１６２に設けられたシュート２４０を流下する。シュート２４０には、賞球もしくは貸球として排出された遊技球が流下する排出流路と、球抜きのために排出された遊技球が流下する球抜き流路が形成されている。そして、排出流路はその下流側端部で遊技球を上皿に誘導する流路に連結しており、排出装置２００から賞球または貸球として排出された遊技球が上皿に流入するようになっている。また、球抜き流路はその下流側端部で遊技球を遊技機外部に誘導する流路に連結しており、排出装置２００によって貯留タンク２２０から抜き取られた遊技球が遊技機外部に排出されるようになっている。
【００７３】
また、図１に示すように、本体部１６１の裏面側には、演出制御装置３３が配される凹部である演出制御装置配設部１６５が形成されている。
演出制御装置３３はボックス３３ａに収容されており、このボックス３３ａは演出制御装置配設部１６５に収容可能な大きさとなっている。演出制御装置配設部１６５の上端部には、本体部１６１の左右方向に沿って延在する図示しない回動軸が設けられており、この回動軸によって演出制御装置３３を収納したボックス３３ａが演出制御装置配設部１６５に対して扉状に開閉可能に支持されている。なお、ボックス３３ａは、演出制御装置配設部１６５に収容された状態から本体部１６１の裏面側方向へ回動可能となっている。
【００７４】
また、演出制御装置配設部１６５の背面をなす本体部１６１の裏面には、演出制御装置配設部１６５の前面側に形成された後述の表示枠ユニット収納部１６８に連通する図示しない開口が形成されており、この開口を通して液晶表示パネル１７５（液晶表示器５５、バックライト５６）と演出制御装置３３とが配線によって接続されている。
【００７５】
演出制御装置３３を収容したボックス３３ａの上下幅は、演出制御装置配設部１６５の上下幅よりも広く、演出制御装置配設部１６５にこのボックス３３ａを収容すると、ボックス３３ａの下部が演出制御装置配設部１６５の下方に延出するようになっている。そして、図２に示すように、ボックス３３ａの前面側であって本体部の下部に延出する部分からは、演出制御装置３３に設けられたコネクタ３３ｍがボックス３３ａの外側に露出している。
【００７６】
また、上述したように、遊技盤１の裏面には演出データ装置３２が取り付けられており、この演出データ装置３２の裏面であって、演出制御装置３３が取り付けられた演出制御装置配設部１６５の下方に位置する部分には、コネクタ３２ｆが設けられている。
【００７７】
すなわち、図１に示すように、遊技盤１が前面枠本体１３０に取り付けられ、かつ、裏機構枠１６０が遊技盤１の裏面側に配された状態で、演出制御装置３３を収容したボックス３３ａを演出制御装置配設部１６５に収容される状態にすると、演出データ装置３２のコネクタ３２ｆと演出制御装置３３のコネクタ３３ｍが連結し、演出データ装置３２と演出制御装置３３が直接接続できるようになっている。
【００７８】
本体部１６１の裏面側から見て演出制御装置配設部１６５の右側には、演出制御装置３３と他の装置等を接続する配線を収納する配線収納部２０４が形成されている。また、配線収納部の上側には、遊技機外部の装置（管理装置など）との通信を行うための枠用外部出力端子２０５が設けられている。
【００７９】
図５に示すように、本体部１６１には、裏機構枠１６０が遊技盤１の裏面に臨む状態において、前面側（遊技盤１の裏面に臨む側）に開口する矩形箱状の凹部である表示枠ユニット配設部１６３が形成されている。この表示枠ユニット配設部１６３は、ガイド部１６２とともに表示枠ユニット１７０を収納する表示枠ユニット収納部１６８を形成するものである。なお、矩形箱状の凹部である表示枠ユニット配設部１６３の外周部を形成する周囲壁１６７は、表示枠ユニット配設部１６３の下側となる部分には形成されていない。
【００８０】
表示枠ユニット配設部１６３の前面となる本体部１６１の前面には、表示枠ユニット１７０を前側に付勢する付勢部材としての圧縮コイルばね１８２を収納するばね収納部１８１、本体部１６１を補強するための補強リブ１６４が形成されている。また、表示枠ユニット配設部１６３の前面であって下部は、本体部１６１の裏面側に形成された演出制御装置配設部１６５の裏面によって形成されている。上述したように演出制御装置配設部１６５は、本体部１６１の裏面側に形成された凹部であるため、本体部１６１の前面側から見て前側に突出した状態となっている。また、この演出制御装置配設部１６５の裏面には、後述する表示枠ユニット１７０の裏面に突出する裏面滑り手段１８４の後部を受け入れ可能な開口１６６が、裏面滑り手段１８４と対向する位置に形成されている。
【００８１】
ばね収納部１８１は、後述する付勢部材としての圧縮コイルばね１８２の外径と略同じ内径を有する円筒形の凹部で、前側に突出した演出制御装置配設部１６５の上側に隣接して、表示枠ユニット配設部１６３の左右方向の中心から左右に等しい距離だけ離れて２つ設けられている。そして、表示枠ユニット配設部１６３の前面であって、前側に突出した演出制御装置配設部１６５とばね収納部１８１が存在する部分を除いた部分には、補強リブ１６４が格子状に形成されている。なお、ばね収納部１８１および補強リブ１６４の前端部と、演出制御装置配設部１６５の裏面は、それぞれ同じ前後位置、すなわち、同一平面上に存在する。
【００８２】
矩形箱状の凹部である表示枠ユニット配設部１６３の周面である左右の周囲壁１６７の前側には、それぞれガイド部１６２が、左右の周囲壁１６７を前側に延長するように取り付けられている。なお、裏機構枠１６０の左右の周囲壁１６７のうち、前面枠本体１３０に回動自在に軸支される側となる、遊技機１００の前側から見て左側の周囲壁１６７には、排出装置２００から排出された遊技球の流路を備えたシュート２４０が取り付けられている。
【００８３】
また、同じく前面枠本体１３０に軸支される側となる左側のガイド部１６２が前面枠本体１３０に回動自在に取り付けられて、裏機構枠１６０の開閉を可能としている。
そして、ガイド部１６２を本体部１６１に取り付けた状態では、図４，５に示すように、ガイド部１６２の内周面が表示枠ユニット配設部１６３の周囲壁１６７の内周面のうちの主に左右の内周面と略同一面を形成するようになっており、ガイド部１６２によって周囲壁１６７の内周面の一部が前側に延出された状態となっている。この表示枠ユニット配設部１６３とガイド部１６２で形成される、所定の奥行きを有するとともに前側に開口した矩形凹室形状の空間（少なくとも背面と左右側面とを囲まれた空間）が、表示枠ユニット１７０を収納する表示枠ユニット収納部１６８となる。
【００８４】
そして、左右の周囲壁１６７とそれを延長するガイド部１６２により形成される裏機構枠１６０の左右の内側面には、表示枠ユニット１７０の外周部を構成している表示枠ユニット本体１７２の左右の側部にそれぞれ設けられるとともに、前記左右の側部の上部及び下部の合わせて４カ所から外側（左側もしくは右側）に突出する後述の被案内部１８を前後に移動自在に案内する概略溝状の案内部１６９が設けられている。
【００８５】
案内部１６９は、４つの被案内部１８に対応して左右の内周面にそれぞれ上下２本ずつ前後方向に延在して設けられている。また、上側の案内部１６９はその上部に、下側の案内部１６９はその下部にそれぞれ前後方向に沿った突条１６９ａが形成され、溝状の案内部１６９と合わせて被案内部１８の上下移動を規制して前後に案内するようになっている。なお、案内部１６９の前端は、ガイド部１６２の前端部より僅かに後方となっており、案内部１６９の前端部には、溝状の案内部１６９前端部を閉塞した状態として、該前端部より前側への表示枠ユニット１７０（被案内部１８）の移動を規制する前方位置規制部材１８０が形成されている。
【００８６】
この表示枠ユニット収納部１６８には、画像表示面１７１が前側（開口した側）となるように表示枠ユニット１７０が配設されるようになっている。そして、図１に示すように、裏機構枠１６０を遊技盤１の裏面に臨むように配することで、遊技盤１の裏面側に表示枠ユニット１７０の画像表示面１７１が臨むようになる。なお、裏機構枠１６０が遊技盤１の裏面に臨む状態にあるとき、表示枠ユニット１７０は遊技盤１の裏面から後方側へ隔離した位置に配されるようになっている。また、この表示枠ユニット収納部１６８の上下幅および左右幅は、表示枠ユニット１７０の上下幅および左右幅（ただし左右に突出する被案内部１８を除く）よりも大きくなっており、表示枠ユニット１７０の周囲に空間があいた状態とされる。さらに、溝状の案内部１６９の上下幅は被案内部１８の上下幅よりも若干大きく、また、左右に対向して形成された案内部１６９，１６９間の幅は、表示枠ユニット１７０の左右に形成された被案内部１８，１８の側端部間の幅よりも若干大きくなっている。
【００８７】
これによって、表示枠ユニット１７０の前後方向への移動が容易になるとともに、表示枠ユニット１７０が表示枠ユニット収納部１６８内で僅かに傾斜した状態になることも可能となるが、基本的に後述するように、表示枠ユニット１７０が付勢手段により前側に付勢された状態で、位置調整部材１３７，１３８により被位置調整部２０，２１の位置が決定されることで、表示枠ユニット１７０（表示ユニット１７３）の角度も決定される。
【００８８】
また、表示枠ユニット１７０は、後述するように、バネ等の弾性部材からなる付勢手段により前方側に向かって付勢された状態となっているが、裏機構枠１６０を開放した状態あるいは、遊技盤１を前面枠１２０から取り外した状態では、上述の前方位置規制部材１８０に表示枠ユニット１７０の被案内部１８の前端部が当接した状態となる。すなわち、この表示枠ユニット１７０の裏機構枠１６０に対する前後位置が、表示枠ユニット１７０の前後方向の移動範囲における最も前側の位置である。
なお、裏機構枠１６０を閉じた状態においては、遊技盤裏面に設けられて後方に突出するセンターケース１１の後端部１６は、上述した表示枠ユニット１７０の前後方向の移動範囲における最も前側の位置より後方に位置するようになっている。よって、センターケース１１の後端部１６が表示枠ユニット１７０の前面に密着できるようになっている。
【００８９】
表示枠ユニット１７０は、図７，８に示すように、前面側が開口した矩形箱状（額縁状）に形成された表示枠ユニット本体１７２と、この矩形箱状の表示枠ユニット本体１７２の、前面側が前記開口により開放された空間である内部収納空間１８３内に配置される表示ユニット１７３と、前記表示枠ユニット本体１７２の前面側で前記内部収納空間１８３の前側を覆う透明な前面クリアカバー１７９とからなるものである。
【００９０】
表示枠ユニット本体１７２は、被案内部１８を有し、裏機構枠１６０の表示枠ユニット収納部１６８内において前後動自在に配される。また、表示枠ユニット本体１７２の内部収納空間１８３は、その形状が前後幅が狭い直方体状、すなわち、矩形板状となっている。この内部収納空間１８３の上下左右幅は、後述する表示ユニット１７３の上下左右幅よりも広いものとなっており、表示ユニット１７３が内部収納空間１８３内で上下左右方向に移動可能となっている。
【００９１】
以上のことから、表示ユニット１７３を前面枠１２０に配設するための表示枠ユニット１７０を設け、表示枠ユニット１７０は、表示ユニット１７３が（左右方向および／または上下方向に）移動可能な内部収納空間１８３を有することとなる。
【００９２】
被案内部１８は表示枠ユニット本体１７２の左右の側部であって、上部及び下部の合わせて４ヶ所から外側に突出するように設けられている。
このうち、表示枠ユニット本体１７２の左右の側部であって上部に設けられた被案内部１８，１８は、側部の上端部から下側に所定間隔おいた位置に、側部に対して垂直に外側へ突出するように設けられている。この上側の被案内部１８，１８は直方体形状であって、概略溝状の案内部１６９に配される外側の端部にはカバー部材１８ａが取り付けられている。このカバー部材１８ａは、摩擦係数が低い材質（例えば、ポリアセタール、金属）からなり、表示枠ユニット１７０の前後方向の移動を容易にするものであって、裏機構枠１６０の表示枠ユニット収納部１６８に形成された案内部１６９と接する被案内部１８の端面（外側に位置する側面）と上面、前面およびこれらの面が接続する角部を覆うようになっている。なお、カバー部材１８ａにおける被案内部１８の前面を覆う部分は、カバー部材１８ａを被案内部１８に固定するための部分であって、ここにはねじ孔１８ｂが形成されており、カバー部材１８ａをねじによって被案内部１８に固定できるようになっている。
【００９３】
表示枠ユニット本体１７２の下部に設けられた被案内部１８，１８は、表示枠ユニット本体１７２の側部の下端部から側部に対して垂直に外側へ突出し、さらに端部が下方に延出した略Ｌ字形となっている。そして、被案内部１８の下方に延出した側の端部における下側の外側部は外側に突出していて、この突出した部分が概略溝状の案内部１６９に配されるようになっている。この突出した部分には、上述と同様の摩擦係数が低い材質からなるカバー部材１８ａが、外側の側面と下面、前面およびこれらの面が接続する角部を覆うように取り付けられている。また、各被案内部１８の内部には、補強のためのリブ１８ｃが形成されている。
【００９４】
また、表示枠ユニット本体１７２の側壁の内側、すなわち、内部収納空間１８３の内側となる部分であって、側壁を挟んで被案内部１８と対向する部分には、ねじ止め部（ボス）１８ｄが形成されていて、内部収納空間１８３の前面側の開口を閉鎖する前面クリアカバー１７９をねじによって表示枠ユニット本体１７２の前面側に固定できるようになっている。
【００９５】
前面クリアカバー１７９は、内部収納空間１８３の前面側の開口と略同じ大きさの、透明な材質からなる矩形板状の部材で、上述のように表示枠ユニット本体１７２の前面側に固定されるようになっている。この前面クリアカバー１７９は、内部収納空間１８３の前面側の開口を閉鎖する前面壁としての機能を有し、表示枠ユニット１７０の前面側から後述の表示ユニット１７３（画像表示面１７１）を視認可能な状態で、表示ユニット１７３を内部収納空間１８３内に保持するものである。また、前面クリアカバー１７９は、表示枠ユニット１７０の前面壁としての機能も有し、図１に示すように、裏機構枠１６０を閉鎖した状態では、前面クリアカバー１７９の前面がセンターケース１１の後端部１６に当接し、表示用窓部１２を閉鎖するようになっている。すなわち、前面クリアカバー１７９は、液晶表示パネル１７５の画像表示面１７１を、センターケース１１の後端部１６や遊技球の接触に伴う衝撃から保護するものでもある。
【００９６】
また、図８に示すように、表示枠ユニット本体１７２には、裏面滑り手段１８４、配線用開口１８５、ばね装着筒１７８が形成されている。
裏面滑り手段１８４は、内部収納空間１８３内における表示ユニット１７３の上下左右方向への移動を円滑にするためのものであって、表示枠ユニット本体１７２の前面であって内部収納空間１８３を形成する壁面の上下左右に４つ設けられている。この裏面滑り手段１８４は、前面側が内部収納空間１８３内に開口するとともに後部が表示枠ユニット本体１７２の裏面側に突出した略半球状の凹部１８４ａに、例えば、遊技球のような球体１８４ｂが収納された構成となっている。球体１８４ｂは、凹部１８４ａ内で転動自在に保持されるようになっているとともに、球体１８４ｂの前面側の一部が、内部収納空間１８３内に突出した状態で凹部１８４ａに収納されている。そして、球体１８４ｂの前端部が、内部収納空間１８３内に配される表示ユニット１７３の裏面に当接するようになっている。
【００９７】
内部収納空間１８３内に配される表示ユニット１７３は、表示枠ユニット本体１７２の前面であって内部収納空間１８３を形成する壁面に４つ設けられた各裏面滑り手段１８４の球体１８４ｂが裏面に当接することで、内部収納空間１８３を形成する壁面から球体１８４ｂが突出した分だけ前側に離れた位置に配される。さらに、表示ユニット１７３の裏面に当接する裏面滑り手段１８４の球体１８４ｂが転動自在に凹部１８４ａに保持されているので、表示ユニット１７３は円滑に上下左右方向へ移動可能となる。なお、表示枠ユニット本体１７２の前面であって内部収納空間１８３を形成する壁面に４つ設けられた裏面滑り手段１８４の配設位置は、表示ユニット１７３が内部収納空間１８３内で上下左右に移動しても、常に表示ユニット１７３の裏面に当接できるような位置とされている。
【００９８】
配線用開口１８５は、表示枠ユニット本体１７２を前後に貫通するように形成された矩形状の開口で、表示枠ユニット本体１７２の前面側であって内部収納空間１８３内に配される表示ユニット１７３と、裏機構枠１６０の裏面側に配される演出制御装置３３とを接続する配線を通すための開口である。後述するように、表示ユニット１７３を構成する表示ユニットケース１７４の裏面側にも配線用開口１９１が形成されており、液晶表示パネル１７５に設けられたコネクタ１７５ａが後方に露出している。表示枠ユニット本体１７２に形成された配線用開口１８５は、図６に示すように、表示ユニット１７３を内部収納空間１８３に収納した際に、表示ユニット１７３の裏面側に露出する液晶表示パネル１７５のコネクタ１７５ａが、表示枠ユニット本体１７２の裏面側に露出できるような位置に形成されている。さらに、表示枠ユニット本体１７２に形成された配線用開口１８５は、内部収納空間１８３内で表示ユニット１７３が上下左右方向に移動しても、常に液晶表示パネル１７５のコネクタ１７５ａが表示枠ユニット本体１７２の裏面側に露出できるような範囲に形成されている。
【００９９】
ばね装着筒１７８は、表示枠ユニット本体１７２の裏面側に、後方に突出するように形成された円筒状の凸部である。このばね装着筒１７８の外径は、付勢部材としての圧縮コイルばね１８２の内径と略等しく、ばね装着筒１７８に圧縮コイルばね１８２を嵌合することで、表示枠ユニット本体１７２の裏面（表示枠ユニット１７０の裏面）に圧縮コイルばね１８２が取り付けられる。
【０１００】
このばね装着筒１７８が形成される位置は、表示枠ユニット１７０を表示枠ユニット収納部１６８に取り付けたときに、表示枠ユニット配設部１６３の前面に形成されたばね収納部１８１と対向する位置となっている。そして、ばね収納部１８１に収納された圧縮コイルばね１８２に、ばね装着筒１７８を挿入することで、表示枠ユニット１７０と表示枠ユニット配設部１６３の前面との間に圧縮コイルばね１８２が配され、表示枠ユニット１７０が前方向に付勢された状態となる。なお、圧縮コイルばね１８２に外部から力がかかっていない状態での長さ（自然長）は、表示枠ユニット１７０の前面が前方位置規制部材１８０に当接し、表示枠ユニット１７０が最も前側にある状態における表示枠ユニット１７０の裏面とばね収納部１８１の後端部との距離よりも長く、常に表示枠ユニット１７０を前側に付勢できるようになっている。
【０１０１】
また、表示枠ユニット本体１７２の側壁であって、前面側から見て上側、左側の側壁には、表示枠ユニット本体１７２の内部収納空間１８３に収納される表示ユニット１７３に設けられた後述する被位置調整部２０，２１を、内部収納空間１８３の外側に露出させるための切欠き１８６，１８６が形成されている。なおこの切欠き１８６，１８６は、表示ユニット１７３が内部収納空間１８３内で上下左右に移動しても、被位置調整部２０，２１が表示枠ユニット本体１７２に接触しないように形成されている。
さらに、表示枠ユニット本体１７２の前面側から見て右側の側壁の外側であって、上下の被案内部１８，１８の間には、インバータ取付部１８７が形成され、液晶表示パネル１７５のバックライト５６のインバータ１８８が取り付けられている。
【０１０２】
表示ユニット１７３は、表示枠ユニット本体１７２の内部収納空間１８３内に収まるような矩形板状に形成されている。この表示ユニット１７３は、液晶表示パネル１７５（液晶表示器５５、バックライト５６を含む）を収納する前面側が開口した表示パネル収納部１８９を有する箱状の表示ユニットケース１７４と、この表示ユニットケース１７４内（表示パネル収納部１８９内）に収納された液晶表示パネル１７５とからなるものであり、表示ユニットケース１７４の前面側から液晶表示パネル１７５の画像表示面１７１を有する前面が露出している。また、表示ユニット１７３の前後幅は、表示枠ユニット本体１７２の前面クリアカバー１７９で閉塞された内部収納空間１８３の前後幅より僅かに短くされているが、表示枠ユニット本体１７２内で表示ユニット１７３は、ほとんど前後動できない状態で保持される。
【０１０３】
また、表示ユニット１７３の上下幅及び左右幅（ただし、側方に突出する後述の被位置調整部２０，２１を除く）は、表示枠ユニット本体１７２の内部収納空間１８３の上下幅及び左右幅より短くされており、後述するように、センターケース１１の表示用窓部１２に対して、表示ユニット１７３（液晶表示パネル１７５）の画像表示面１７１を位置合わせできる程度に、表示枠ユニット本体１７２の内部収納空間１８３内で表示ユニット１７３を少しだけ上下左右に移動自在となっている。
【０１０４】
表示ユニットケース１７４の上側縁部および左側縁部には、被位置調整部２０，２１が設けられている。
この被位置調整部２０，２１は、表示枠ユニット１７０の上側縁部及び左側縁部に配され、かつ、表示枠ユニット本体１７２の上側縁及び左側縁より外方に延出する鎹状のローラ取付部材２０ａ，２１ａと、該ローラ取付部材２０ａ，２１ａに回動可能に支持される円柱状のローラ２０ｂ，２１ｂとを有する。
【０１０５】
表示枠ユニット１７０の上側縁部（左側縁部）に配される被位置調整部２０（２１）のローラ取付部材２０ａ（２１ａ）は、上側縁部（左側縁部）の左右（上下）方向の中央にあって、上方（左方）に延出する２つの延出部２０ｃ，２０ｃ（２１ｃ，２１ｃ）を有する。この各々の延出部２０ｃ，２０ｃ（２１ｃ，２１ｃ）の先端部には、ローラ２０ｂ（２１ｂ）を軸支する軸受け２０ｄ，２０ｄ（２１ｄ，２１ｄ）が上側縁部（左側縁部）の左右（上下）方向に沿って延在するように形成されており、この２つの軸受け２０ｄ，２０ｄ（２１ｄ，２１ｄ）によって円柱状のローラ２０ｂ（２１ｂ）の両端部を回動可能に支持することで、上側縁部（左側縁部）の左右（上下）方向に沿ってローラ２０ｂ（２１ｂ）が配される。
【０１０６】
また、鎹状のローラ取付部材２０ａ（２１ａ）は、その２つの延出部２０ｃ，２０ｃ（２１ｃ，２１ｃ）のうち一方の延出部２０ｃ（２１ｃ）を有し、表示ユニットケース１７４に固定された固定部２０ｅ（２１ｅ）と、他方の延出部２０ｃ（２１ｃ）を有し、表示ユニットケース１７４から着脱可能な着脱部２０ｆ（２１ｆ）とからなる。
【０１０７】
よって、ローラ２０ｂ（２１ｂ）を取り付ける際には、着脱部２０ｆ（２１ｆ）を取り外した状態で、ローラ２０ｂ（２１ｂ）の一端を固定部２０ｅ（２１ｅ）側に設けられた延出部２０ｃ（２１ｃ）の軸受け２０ｄ（２１ｄ）に挿入し、その後、ローラ２０ｂ（２１ｂ）の他端を着脱部２０ｆ（２１ｆ）側に設けられた延出部２０ｃ（２１ｃ）の軸受け２０ｄ（２１ｄ）に挿入するとともに、着脱部２０ｆ（２１ｆ）を表示ユニットケース１７４に取り付ける。また、着脱部２０ｆ（２１ｆ）にはねじ孔２０ｇ（２１ｇ）が形成されており、着脱部２０ｆ（２１ｆ）をねじによって表示ユニットケース１７４に固定することで、ローラ２０ｂ（２１ｂ）が回動可能に軸支されるようになる。
【０１０８】
被位置調整部２０，２１は、表示ユニット１７３を表示枠ユニット本体１７２の内部収納空間１８３に収納した際に、表示枠ユニット本体１７２の側壁に形成された切欠き１８６，１８６から外側に突出するようになっている。さらに、被位置調整部２０，２１は、表示枠ユニット１７０を裏機構枠１６０の表示枠ユニット収納部１６８に収納した際に、表示枠ユニット収納部１６８の内周と、表示枠ユニット１７０の外周との間となる間隔に配置されるようになっている。また、被位置調整部２０，２１のローラ２０ｂ，２１ｂの前部は、表示枠ユニット１７０の前面をなす前面クリアカバー１７９の前面と同じ前後位置に配置されるようになっている。
【０１０９】
そして、裏機構枠１６０を遊技盤１の裏面に配した状態（閉鎖した状態）において、遊技盤１に形成された位置調整部材１３７，１３８と対向するようになっている。
なお、後述するように、被位置調整部２０，２１のローラ２０ｂ，２１ｂが位置調整部材１３７，１３８の誘導ガイド部１３７ａ，１３８ａによって係合固定部１３７ｂ，１３８ｂに案内されることで表示ユニット１７３の上下左右位置が調整され、表示用窓部１２に対する表示ユニット１７３（液晶表示パネル１７５）の画像表示面１７１の位置が適切な位置に調整される。この際、ローラ２０ｂ，２１ｂが回動可能であることで、表示ユニット１７３がスムーズに所定位置へ誘導される。
【０１１０】
以上のことから、被位置調整部２０，２１は、溝（誘導ガイド部１３７ａ，１３８ａ）の内部傾斜面において誘導される際に回転可能なローラ２０ｂ，２１ｂを有することとなる。
【０１１１】
また、表示ユニット１７３の前面側の外周縁部となる左右の側縁部には、それぞれ上下二カ所に、切欠き状の前面滑り部材取付部１９０が形成され、ここに前面滑り部材１７６が設けられている。この前面滑り部材１７６は、前面クリアカバー１７９の裏面に当接する滑り面を有する滑り部１７６ａと、後述する液晶表示パネル１７５を表示パネル収納部１８９に固定するための表示パネル固定部１７６ｂとを有する。
【０１１２】
滑り部１７６ａの前部は、表示ユニットケース１７４の外周縁部の前端面よりも前側に突出するように配されており、表示ユニット１７３を表示枠ユニット本体１７２の内部収納空間１８３に収納し、前面クリアカバー１７９を取り付けた際に、前面クリアカバー１７９の裏面に当接するようになっている。この滑り部１７６ａの前部は、摩擦係数が低い材質（例えば、ポリアセタールや金属）により構成されており、前面クリアカバー１７９との摩擦抵抗を減少させることで、表示ユニット１７３の内部収納空間１８３内での上下左右方向への移動を円滑にするものである。
【０１１３】
なお、表示ユニット１７３の後端部をなす表示ユニットケース１７４の裏面から、表示ユニット１７３の前端部をなす前面滑り部材１７６の滑り部１７６ａ前面までの幅は、内部収納空間１８３における裏面滑り手段１８４の球体１８４ｂの前端から前面クリアカバー１７９の裏面までの幅と略等しい幅となっている。
よって、表示ユニット１７３が表示枠ユニット本体１７２の内部収納空間１８３に収納された状態では、表示ユニット１７３の裏面側に裏面滑り手段１８４の球体１８４ｂの前端が当接するとともに、前面クリアカバー１７９の裏面に前面滑り部材１７６の滑り部１７６ａ前端が当接した状態となり、内部収納空間１８３内での表示ユニット１７３の前後移動が規制されるようになっている。
一方、表示ユニット１７３は、前面滑り部材１７６及び裏面滑り手段１８４によって、前面および裏面における摩擦抵抗が軽減されるようになっており、表示枠ユニット本体１７２の前面と前面クリアカバー１７９とにより前後をほぼ挟まれた状態であっても、円滑に内部収納空間１８３内で上下左右に移動可能となっている。
【０１１４】
前面滑り部材１７６の表示パネル固定部１７６ｂは、表示ユニットケース１７４の側壁の前端面より液晶表示パネル１７５の厚みの分だけ後方側となる位置に、表示パネル収納部１８９内に突出するように配されている。この表示パネル固定部１７６ｂには、ねじによって液晶表示パネル１７５を表示パネル収納部１８９内に固定するためのねじ止め部（ボス）１７６ｃが形成されている。
【０１１５】
また、表示ユニットケース１７４には、表示ユニットケース１７４の前面側であって表示パネル収納部１８９に収納される液晶表示パネル１７５と、裏機構枠１６０の裏面側に配される演出制御装置３３とを接続する配線を通すための、前後に貫通した配線用開口１９１が形成されている。この配線用開口１９１は、後述するように液晶表示パネル１７５の裏面側に設けられたコネクタ１７５ａの位置に対応して形成されており、液晶表示パネル１７５を表示ユニットケース１７４の表示パネル収納部１８９に収納すると、この配線用開口１９１からコネクタ１７５ａが露出するようになっている。
【０１１６】
図７，８に示すように、液晶表示パネル１７５は矩形板状であって、表示ユニットケース１７４の表示パネル収納部１８９にちょうど収まる大きさとなっている。この液晶表示パネル１７５は、液晶表示器５５とバックライト５６などから構成され、液晶表示器５５の画像表示面１７１が、前側に臨むように配されている。よって、液晶表示パネル１７５の画像表示面１７１は、表示枠ユニット１７０の前面側から前面クリアカバー１７９を介して視認可能に配されることとなる。
【０１１７】
また、液晶表示パネル１７５の前面側であって、画像表示面１７１の左右には、それぞれ上下二カ所にねじ孔１９３，１９３，…が形成されている。このねじ孔１９３，１９３，…は、前後方向に貫通するように形成されており、液晶表示パネル１７５を表示パネル収納部１８９に収納した状態で、このねじ孔１９３，１９３，…にねじを挿通し、表示ユニットケース１７４に設けられた前面滑り部材１７６のねじ止め部１７６ｃに螺合することで液晶表示パネル１７５を表示パネル収納部１８９に固定できるようになっている。
【０１１８】
液晶表示器５５の画像表示面１７１の面積は、前面枠本体１３０に形成された開口部に嵌め込まれた遊技盤１の上側略半分を裏面側から覆うことができる面積となっており、センターケース１１によって形成された表示用窓部１２よりも広いものである。すなわち、画像表示面１７１の面積が、少なくとも表示用窓部１２よりも広く、表示用窓部１２の大きさが変化してもそれに対応できるようになっている。このように、液晶表示器５５の画像表示面１７１が遊技盤１の裏面側を幅広く覆うようにすることで、遊技盤１を交換して遊技機１００の遊技内容を変更する場合に、多種の遊技盤１の表示用窓部１２に対応できるようになっている。
【０１１９】
また、液晶表示器５５は、画像表示面１７１の面積が表示用窓部１２よりも広いので、表示用窓部１２から露出する領域に画像が表示されるように演出データ装置３２および演出制御装置３３によって制御されている。この画像を表示する領域を決定する遊技盤１の表示用窓部１２の大きさや位置に関する情報は、演出データ装置３２に記憶されているが、演出データ装置３２は遊技盤１に取り付けられており、遊技盤１と一緒に演出データ装置３２も交換される。よって、遊技盤１の交換に伴い、例えば、これまでの遊技盤の表示用窓部に対応した画像表示領域から、新たな遊技盤１の表示用窓部１２に対応した画像表示領域に変更できるようになっている。
【０１２０】
以上のような構成によって、液晶表示器５５を備えた表示ユニット１７３は、表示枠ユニット１７０に上下左右方向に移動可能に保持され、表示枠ユニット１７０は、裏機構枠１６０に前後移動可能に保持されることとなる。すなわち、表示ユニット１７３は裏機構枠１６０に前後、上下、左右方向へ移動可能に保持されていることとなる。
【０１２１】
次に、表示ユニット１７３の位置調整について説明する。表示ユニット１７３の位置調整は、例えば、裏機構枠１６０を閉めた状態で遊技盤１を前面枠１２０にその前面側から取り付ける場合、もしくは、メンテナンスなどのために前面枠本体１３０に遊技盤１が取り付けられた状態で裏機構枠１６０を開放した状態から閉鎖した状態とする場合に行われる。
ここでは、一例として、裏機構枠１６０を閉鎖した状態で遊技盤１を前面枠１２０に取り付ける場合における表示ユニット１７３の位置調整について説明する。なお、すでに開口部から古い遊技盤１が取り外されており、裏機構枠１６０は、前面枠本体１３０の裏面側に表示ユニット１７３が臨む状態（閉鎖した状態）とされているものとする。
【０１２２】
前面枠本体１３０の開口部の前面側から見て左側、すなわち、裏機構枠１６０が軸着された側には、遊技盤１の一側部を係止する係止部材（図示略）が設けられていて、遊技盤１を開口部に取り付ける際には、まず、開口部に対してその前側から、遊技盤１の一側部をこの係止部材に係止させるように斜めに挿入する。そして、係止部材によって係止された側を軸として、遊技盤１を遊技機１００の後方側へ回動させながら開口部に嵌め込む。
【０１２３】
ここで、裏機構枠１６０に保持されている表示枠ユニット１７０は、表示枠ユニット収納部１６８内で前後移動可能に、かつ、付勢部材としての圧縮コイルばね１８２によって前方向に付勢された状態で収納されており、裏機構枠１６０を開放した状態では、被案内部１８の前面が前方位置規制部材１８０に接する位置に配される。
【０１２４】
上述のように遊技盤１を後方側に回動させる過程において、遊技盤１の後方に突出するセンターケース１１は、その後端部１６が表示枠ユニット１７０の前面である前面クリアカバー１７９の前面に当接する。また、遊技盤１の後方に突出する位置調整部材１３７，１３８の誘導ガイド部１３７ａ，１３８ａは、表示ユニット１７３の上方、側方に設けられた被位置調整部２０，２１のローラ２０ｂ，２１ｂに当接する。そして、遊技盤１を開口部に嵌め込むために、さらに後方側に回動させるのに伴い、表示枠ユニット１７０は、付勢部材としての圧縮コイルばね１８２の付勢力に抗して後方向へ押し込まれることとなる。
【０１２５】
ここで、遊技盤１は、係止部材によって係止された一側部を軸として回動するので、センターケース１１の左側に設けられた位置調整部材１３７が被位置調整部２１に当接するとともに、センターケース１１の後端部１６のうち、遊技盤１の回動の軸に近い側の後端部１６が先に表示枠ユニット１７０の前面に当接する。表示枠ユニット１７０は、表示枠ユニット収納部１６８内で若干傾斜した状態（表示枠ユニット１７０が裏機構枠１６０の左右方向と非平行状態）となることが可能であり、センターケース１１の後端部１６が当接した側が、より後方向に押し込まれるように傾斜した状態で移動する。
【０１２６】
遊技盤１は、回動させることで徐々に遊技機１００の左右方向に沿うようになり、遊技盤１が完全に開口部に嵌め込まれた状態では、遊技機１００の左右方向に平行な状態となる。また、表示枠ユニット１７０の傾斜も、遊技盤１を回動させることで徐々に遊技機１００の左右方向に沿うようになる。このように、遊技盤１が完全に開口部に嵌め込まれた状態では、表示枠ユニット１７０の前面がセンターケース１１の後端部１６に面接触し、遊技盤１の左右方向に平行な状態となる。
【０１２７】
なお、遊技盤１を回動させる過程の当初は、遊技機１００の左右方向に平行な裏機構枠１６０に対する遊技盤１の傾きが大きく、表示枠ユニット１７０の傾斜可能な範囲より大きいため、センターケース１１の後端部１６の一部が表示枠ユニット１７０の前面に当接した状態となる。しかし、遊技盤１の回動に伴い、裏機構枠１６０に対するセンターケース１１の後端部１６の傾きが表示枠ユニット１７０の傾斜可能な範囲内になると、これ以降は表示枠ユニット１７０の前面がセンターケース１１の後端部１６に面接触した状態となる。
【０１２８】
また、表示枠ユニット１７０は、付勢部材（圧縮コイルばね１８２）によって前側に付勢されているので、前面がセンターケース１１の後端部１６に密着した状態で保持される。そして、センターケース１１により形成される表示用窓部１２を介して、遊技盤１の前面から画像表示面１７１を見ることができるようになる。
【０１２９】
以上のことから、表示ユニット１７３は、前後に移動可能であって前方側に付勢された状態で前面枠１２０側に配設され、前面枠１２０（前面枠本体１３０）に装着された遊技盤１の後方側突出量に応じて前後に移動することとなる。
【０１３０】
そして、上述のように表示枠ユニット１７０が後方向に押し込まれるのと同時に、表示ユニット１７３の上下左右位置が所定位置に調整される。
遊技盤１を後方側に回動させる過程において、位置調整部材１３７，１３８に当接した被位置調整部２０，２１のローラ２０ｂ，２１ｂは、Ｖ字状の溝である誘導ガイド部１３７ａ，１３８ａの内部傾斜面に沿って溝の中央部の係合固定部１３７ｂ，１３８ｂに誘導される。
すなわち、表示枠ユニット１７０の上にほぼ水平に配置された被位置調整部２０のローラ２０ｂ（表示枠ユニット１７０の左にほぼ垂直に配置された被位置調整部２１のローラ２１ｂ）は、位置調整部材１３７（１３８）の断面Ｖ字状の誘導ガイド部１３７ａ（１３８ａ）により上下方向（左右方向）に案内され、断面半円状の溝である係合固定部１３７ｂ（１３８ｂ）内に円柱状のローラ２０ｂ（２１ｂ）が係合するようになる。
【０１３１】
上述したように、ローラ２０ｂ（２１ｂ）を有する被位置調整部２０（２１）は、表示枠ユニット１７０の内部収納空間１８３内で上下左右方向に移動可能に保持された表示ユニット１７３に設けられており、ローラ２０ｂ（２１ｂ）が係合固定部１３７ｂ（１３８ｂ）に誘導され係合することで、表示ユニット１７３の上下（左右）位置が決められることになる。
【０１３２】
以上のことから、位置調整部材１３７，１３８は、遊技盤１の裏面から後方側に突出形状であってその後端部がＶ字状の溝（誘導ガイド部１３７ａ，１３８ａ）を有し、被位置調整部２０，２１が溝（誘導ガイド部１３７ａ，１３８ａ）の内部傾斜面に誘導されて該溝の中央部（係合固定部１３７ｂ，１３８ｂ）に移動することで、表示ユニット１７３が適正位置に移動するようにしたこととなる。
【０１３３】
また、位置調整部材１３７，１３８は、Ｖ字状の溝（誘導ガイド部１３８ａ）が上下方向に形成された第１の位置調整部材１３８と、該Ｖ字状の溝（誘導ガイド部１３７ａ）が左右方向に形成された第２の位置調整部材１３７と、から構成され、第１の位置調整部材１３８により表示ユニット１７３の左右方向の位置を調整するとともに、第２の位置調整部材１３７により該表示ユニット１７３の上下方向の位置を調整するようにしたこととなる。
【０１３４】
ここで、表示ユニット１７３は、前面滑り部材１７６と裏面滑り手段１８４により円滑に内部収納空間１８３内で上下左右に移動可能とされ、また、ローラ２０ｂ，２１ｂは軸受け２０ｄ，２０ｄ，２１ｄ，２１ｄによって回動可能に軸支されており、さらに表示枠ユニット１７０は付勢部材としての圧縮コイルばね１８２によって前方向に付勢されている。よって、遊技盤１を後方側に回動させる過程において、被位置調整部２０，２１のローラ２０ｂ，２１ｂは容易かつ確実に位置調整部材１３７，１３８の係合固定部１３７ｂ，１３８ｂに誘導されることとなり、表示ユニット１７３の上下左右位置が確実に所定位置に調整されるようになっている。
さらに、表示枠ユニット１７０が前方向に付勢されていることから、誘導ガイド部１３７ａ，１３８ａとしてのＶ字状の溝の中央部（Ｖ字状の溝の谷底の部分）に形成された係合固定部１３７ｂ，１３８ｂに係合したローラ２０ｂ，２１ｂは、上下（左右）方向への移動および前方向への移動が規制されて略固定された状態となる。この略固定された位置は、セッティング後の使用時の表示枠ユニット１７０の位置となる。
【０１３５】
以上のように位置調整部材１３７，１３８に被位置調整部２０，２１が係合した状態で、表示ユニット１７３の前後左右上下位置が正確に決められると、センターケース１１の表示用窓部１２から露出する表示ユニット１７３の画像表示面１７１（画像表示領域）の位置が正確に決まることになる。これにより、画像表示面１７１に表示される画像と、表示用窓部１２との位置がずれるようなことがなく、表示用窓部１２から位置ずれのない画像を見ることができる。
【０１３６】
なお、位置調整部材１３７，１３８の係合固定部１３７ｂ，１３８ｂがセンターケース１１の後端部１６と略同じ前後位置にあることと、被位置調整部２０，２１のローラ２０ｂ，２１ｂの前端部と前面クリアカバー１７９の前面（表示枠ユニット１７０の前面）が略同じ前後位置にあることから、遊技盤１を開口部に嵌め込み、裏機構枠１６０を閉じた状態では、センターケース１１の後端部１６に前面クリアカバー１７９の前面が面接触するとともに、ローラ２０ｂ，２１ｂが係合固定部１３７ｂ，１３８ｂに係合するようになっている。
【０１３７】
遊技盤１を開口部に嵌め込んだ状態としたら、開口部の前面側から見て右側に設けられた固定部材（図示略）によって遊技盤１を固定する。
また、演出制御装置３３を収納したボックス３３ａは、裏機構枠１６０を閉じた状態とする前に後方に回動させておき、裏機構枠１６０を閉じた状態とした後に演出制御装置配設部１６５に収納されるように前方に回動させる。演出制御装置３３を収納したボックス３３ａを前方に回動させることで、演出制御装置３３のコネクタ３３ｍと演出データ装置３２のコネクタ３２ｆが接続されて両者が直接接続されることとなる。
【０１３８】
以上のことから、遊技領域を形成する遊技盤１を前面枠１２０に対して着脱可能に配設し、該遊技盤１に形成された表示用窓部１２において遊技に関わる表示ゲームを表示するようにした遊技機において、前面枠１２０における遊技盤１の後方位置に、表示ゲームを実行する表示ユニット１７３を設け、表示ユニット１７３は、左右方向および／または上下方向に移動可能な状態で前面枠１２０側に配設され、遊技盤１の裏面に表示ユニット１７３の位置を調整可能な位置調整部材１３７，１３８を設けるとともに、該表示ユニット１７３に該位置調整部材１３７，１３８に対応する被位置調整部２０，２１を設け、遊技盤１の前面枠１２０への装着時に、位置調整部材１３７，１３８が被位置調整部２０，２１に作用して、表示ユニット１７３が該遊技盤１の表示用窓部１２に対する適正位置に移動するようにしたこととなる。
【０１３９】
なお、本実施形態の遊技機１００では、前面枠１２０に遊技盤１を前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなり、この際に表示ユニット１７３の位置調整が行われることとなる。また、本実施形態のように遊技盤１を前側から取り付ける構成であっても、メンテナンス等の場合に裏機構枠１６０を開放した場合は、再び裏機構枠１６０を閉鎖する際に表示ユニット１７３の位置調整が行われることとなる。
このように、前面枠本体１３０に遊技盤１が取り付けられた状態で裏機構枠１６０を開放した状態から閉鎖した状態とする場合では、表示枠ユニット１７０や表示ユニットに設けられた被位置調整部２０，２１が前方に移動するように動作することとなるが、遊技盤１と裏機構枠１６０は、相対的に上述の場合と略同じ動作をすることとなり、上述と同様に表示ユニット１７３の位置調整がなされる。
【０１４０】
また、本実施形態の遊技機１００では、表示ユニット１７３が左右方向および上下方向に移動可能な構成としたが、左右方向または上下方向の１方向のみに移動可能な構成としても良い。すなわち、遊技盤１の裏面にはセンターケース１１の左側（上側）にのみ位置規制部材１３８（１３７）を設け、また、表示ユニット１７３には左側（上側）にのみ被位置調整部２１（２０）を設けるようにすることで、表示ユニット１７３を左右（上下）方向のみに移動可能とする構成としても良い。また、このように、表示ユニット１７３を左右（上下）方向のみに移動可能とする構成とした場合に、例えば、表示ユニット１７３の内部収納空間１８３内での上下（左右）方向の移動を規制するガイドを設けたり、内部収納空間１８３の上下（左右）幅を表示ユニット１７３の上下（左右）幅と略同じ幅にしたりすることにより、表示ユニット１７３が確実に左右（上下）方向のみに移動するようにしても良い。
【０１４１】
以上のことから、遊技領域を形成する遊技盤１を前面枠１２０に対して着脱可能に配設し、該遊技盤１に形成された表示用窓部１２において遊技に関わる表示ゲームを表示するようにした遊技機１００において、表示ゲームを実行する表示ユニット１７３を遊技盤１の後方側に配置するための裏機構枠１６０を前面枠１２０の裏面に開閉可能に設け、表示ユニット１７３は、左右方向および／または上下方向に移動可能な状態で裏機構枠１６０に配設されることで該裏機構枠１６０を介して前面枠１２０側に配設され、遊技盤１の裏面に表示ユニット１７３の位置を調整可能な位置調整部材１３７，１３８を設けるとともに、該表示ユニット１７３に該位置調整部材１３７，１３８に対応する被位置調整部２０，２１を設け、裏機構枠１６０の閉鎖時に、位置調整部材１３７，１３８が被位置調整部２０，２１に作用して、表示ユニット１３７が該遊技盤１の表示用窓部１２に対する適正位置に移動するようにしたこととなる。
【０１４２】
次に、裏面構成部材４０の変形例について、図９を参照して説明する。
ここでの裏面構成部材４０は、上述のように遊技盤下部に設けられた大入賞口や普通変動入賞装置などの裏面側に位置する下部裏面構成部４１に加え、センターケース１１の裏面側を覆う上部裏面構成部４２が一体的に形成された構成を有し、ここに位置調整部材１３７，１３８が一体的に設けられている。
【０１４３】
上部裏面構成部４２は、前側が開口した略矩形箱状であって、センターケース１１を裏面側から覆うように遊技盤１の裏面に取り付けられる。この上部裏面構成部４２の背面であって、センターケース１１に形成された表示用窓部１２に対応する部分には開口４３が形成されており、ここから表示用窓部１２が裏面側に臨むようになっている。なお、上部裏面構成部４２の裏面の前後位置は、センターケース１１の後端部１６よりも前側であって、上述の開口４３からセンターケース１１の後端部１６が後方に突出した状態となっている。
【０１４４】
そして、この上部裏面構成部４２の前面側から見て上側（左側）に、位置調整部材１３７（１３８）が一体的に設けられている。
上部裏面構成部４２の上側（左側）の外側面の前端であって左右（上下）方向の略中央部には、矩形板状のベース部４４（左側は図示略）が上部裏面構成部４２の前面と平行に形成されており、このベース部４４に対して垂直に後方へ延出するように位置調整部材１３７（１３８）が形成されている。また、位置調整部材１３７（１３８）の上部裏面構成部４２の外側面と対向する部分は、その一部が上部裏面構成部４２の外側面と接続している。
【０１４５】
さらに、上部裏面構成部４２の背面の前面側には、センターケース１１との位置合わせ用のボス４５が前方に突出するように形成されており、このボス４５によって裏面構成部材４０がセンターケース１１に対して適切な位置に配されるようになっている。また、裏面構成部材４０の遊技盤本体１０の裏面に接する部分には、裏面構成部材４０を遊技盤本体１０に固定するためのねじ孔４９が形成されている。
【０１４６】
この他に、上部裏面構成部４２（裏面構成部材４０）は所要機能を有しており、例えば、センターケース１１に接続された配線を裏面側に通すための配線用開口４６を備えることによる配線処理機能や、中継基板４７を配設する中継基板の配設機能、入賞口に入賞した遊技球を流下させる入賞球流路４８を備えることによる入賞球誘導機能、遊技盤装飾装置５４としてのランプ・ＬＥＤを備えることによる電気的発光機器の配設機能を有している。
【０１４７】
また、裏面構成部材４０の下部をなす下部裏面構成部４１は、大入賞口や普通変動入賞装置などに入賞した遊技球を流下させる入賞球流路を備えている。さらに、下部裏面構成部４１は、裏面側に演出データ装置３２を取り付けるためのボス等が形成されている。なお、下部裏面構成部４１の構成は、上述した裏面構成部材４０と略同じである。
【０１４８】
このように、位置調整部材１３７，１３８を裏面構成部材４０と一体的に設けたことで、位置調整部材１３７，１３８の取り付け位置の誤差を少なくすることができ、より正確に表示ユニット１７３の位置合わせを行うことができるようになる。
【０１４９】
以上のことから、遊技盤１には、当該遊技盤１に形成された開口部１４に挿入されて表示用窓部１２を形成するセンターケース１１が設けられ、遊技盤１の裏面側に、センターケース１１と位置合わせされて配設されるとともに当該遊技盤１の裏面における所要機能を有する裏面構成部材４０を設け、位置調整部材１３７，１３８を裏面構成部材４０に一体的に設けたこととなる。
【０１５０】
なお、位置調整部材１３７，１３８は必ずしも裏面構成部材４０と一体的に成型されていなくても良く、裏面構成部材４０にねじなどによって固定されていても良い。
また、位置調整部材１３７，１３８、被位置調整部２０，２１の構成は、以上の実施形態に示した構成に限られるものではない。例えば、位置調整部材を後方側に突出形成された棒状部材で構成するとともに、被位置調整部を該棒状部材が挿入可能な開口凹部としてもよい。この場合には、開口凹部は、奥側が狭く開口側が広くなっている形状が望ましい。また、位置調整部材をセンターケース１１に一体的に設けても良い。なお、センターケース１１は遊技盤１の前方から挿入されて取り付けられるので、位置調整部材はセンターケース１１の後端部に設けることが望ましい。
【０１５１】
以上のような本実施形態の遊技機１００は、遊技領域を形成する遊技盤１を前面枠１２０に対して着脱可能に配設し、該遊技盤１に形成された表示用窓部１２において遊技に関わる表示ゲームを表示するようにした遊技機であって、前面枠１２０における遊技盤１の後方位置に、表示ゲームを実行する表示ユニット１７３を設け、表示ユニット１７３は、左右方向および／または上下方向に移動可能な状態で前面枠１２０側に配設され、遊技盤１の裏面に表示ユニット１７３の位置を調整可能な位置調整部材１３７，１３８を設けるとともに、該表示ユニット１７３に該位置調整部材１３７，１３８に対応する被位置調整部２０，２１を設け、遊技盤１の前面枠１２０への装着時に、位置調整部材１３７，１３８が被位置調整部２０，２１に作用して、表示ユニット１７３が該遊技盤１の表示用窓部１２に対する適正位置に移動するようにしている。
【０１５２】
したがって、前面枠１２０における遊技盤１の後方位置に、表示ゲームを実行する表示ユニット１７３を設けたので、表示ユニット１７３が遊技盤１ではなく前面枠１２０側に設けられることとなり、遊技盤１を交換する場合でも表示ユニット１７３を交換する必要がなく、表示ユニット１７３を新たな遊技盤でも使用できるといった効果を奏する。また、遊技機１００の入れ替え時に遊技機全体を交換する場合でも、表示ユニット１７３は遊技盤１と別構成であるので、表示ユニット１７３を簡単に取り外せることから、表示ユニット１７３を再利用する際にも効果的である。
【０１５３】
また、表示ユニット１７３は、左右方向および／または上下方向に移動可能な状態で前面枠１２０側に配設され、遊技盤１の裏面に位置調整部材１３７，１３８を設けるとともに、該表示ユニット１７３に該位置調整部材１３７，１３８に対応する被位置調整部２０，２１を設け、遊技盤１の前面枠１２０への装着時に表示ユニット１７３が該遊技盤１の表示用窓部１２に対する適正位置に移動するようにしたので、表示用窓部１２から表示ユニット１７３の表示部（画像表示面１７１）のうち画像を表示する領域を確実に臨ませることが可能となる。
さらに、遊技盤１の前面枠１２０への装着時に自動的に表示ユニット１７３が適正位置に移動することとなるので、表示ユニット１７３の位置合わせ作業のような所要の作業等も必要がなく、遊技盤１の交換作業の効率が向上する。
【０１５４】
また、遊技領域を形成する遊技盤１を前面枠１２０に対して着脱可能に配設し、該遊技盤１に形成された表示用窓部１２において遊技に関わる表示ゲームを表示するようにした遊技機であって、表示ゲームを実行する表示ユニット１７３を遊技盤１の後方側に配置するための裏機構枠１６０を前面枠１２０の裏面に開閉可能に設け、表示ユニット１７３は、左右方向および／または上下方向に移動可能な状態で裏機構枠１６０に配設されることで該裏機構枠１６０を介して前面枠１２０側に配設され、遊技盤１の裏面に表示ユニット１７３の位置を調整可能な位置調整部材１３７，１３８を設けるとともに、該表示ユニット１７３に該位置調整部材１３７，１３８に対応する被位置調整部２０，２１を設け、裏機構枠１６０の閉鎖時に、位置調整部材１３７，１３８が被位置調整部２０，２１に作用して、表示ユニット１７３が該遊技盤１の表示用窓部１２に対する適正位置に移動するようにしている。
【０１５５】
したがって、前面枠１２０の裏面に開閉可能に設けられた裏機構枠１６０に、表示ゲームを実行する表示ユニット１７３を配設し、前面枠１２０における遊技盤１の後方位置に表示ユニット１７３を配置したので、表示ユニット１７３が遊技盤１ではなく前面枠１２０側に設けられることとなり、遊技盤１を交換する場合でも表示ユニット１７３を交換する必要がなく、表示ユニット１７３を新たな遊技盤１でも使用できるといった効果を奏する。また、遊技機１００の入れ替え時に遊技機全体を交換する場合でも、表示ユニット１７３は遊技盤１と別構成であるので、表示ユニット１７３を簡単に取り外せることから、表示ユニット１７３を再利用する際にも効果的である。
【０１５６】
また、表示ユニット１７３は、左右方向および／または上下方向に移動可能な状態で裏機構枠１６０を介して前面枠１２０側に配設され、遊技盤１の裏面に位置調整部材１３７，１３８を設けるとともに、該表示ユニット１７３に該位置調整部材１３７，１３８に対応する被位置調整部２０，２１を設け、裏機構枠１６０の閉鎖時に表示ユニット１７３が該遊技盤１の表示用窓部１２に対する適正位置に移動するようにしたので、表示用窓部１２から表示ユニット１７３の表示部（画像表示面１７１）のうち画像を表示する領域を確実に臨ませることが可能となる。
さらに、裏機構枠１６０の閉鎖時に自動的に表示ユニット１７３が適正位置に移動することとなるので、表示ユニット１７３の位置合わせ作業のような所要の作業等も必要がなく、遊技盤の交換作業の効率が向上する。
【０１５７】
また、裏機構枠１６０は開閉可能であるので、遊技盤１を前面枠１２０の前方から装着する構成だけでなく、後方から装着（あるいはサイドからスライド挿入）する構成にも対応することができる。特に、遊技盤１を前面枠１２０の後方から装着（あるいはサイドからスライド挿入）する構成においては、遊技盤１を装着した後に裏機構枠１６０を閉鎖することとなるが、この際に表示ユニット１７３が適正位置に移動するようになる。
【０１５８】
また、表示ユニット１７３は、前後に移動可能であって前方側に付勢された状態で前面枠１２０側に配設され、前面枠１２０に装着された遊技盤１の後方側突出量に応じて前後に移動するようにしている。
【０１５９】
したがって、表示ユニット１７３は、前後に移動可能であって前方側に付勢された状態で前面枠１２０側に配設され、前面枠１２０に装着された遊技盤１の後方側突出量に応じて前後に移動するので、新たな遊技盤１を装着する際に、遊技盤１の形状（後方側の突出量）が変化しても、表示ユニット１７３の前後動でそれを吸収することができ、突出量によって新たな遊技盤１が装着できないといった課題を解決できる。
【０１６０】
また、位置調整部材１３７，１３８は、遊技盤１の裏面から後方側に突出形状であってその後端部がＶ字状の溝（誘導ガイド部１３７ａ，１３８ａ）を有し、被位置調整部２０，２１が溝（誘導ガイド部１３７ａ，１３８ａ）の内部傾斜面に誘導されて該溝の中央部（係合固定部１３７ｂ，１３８ｂ）に移動することで、表示ユニット１７３が適正位置に移動するようにしている。
【０１６１】
したがって、位置調整部材１３７，１３８は、遊技盤１の裏面から後方側に突出形状であってその後端部がＶ字状の溝を有し、被位置調整部２０，２１が溝の内部傾斜面に誘導されて該溝の中央部に移動することで、表示ユニット１７３が適正位置に移動するので、表示ユニット１７３を確実に適正位置に移動させることができる。
また、溝がＶ字状であるので比較的大きい範囲で被位置調整部２０，２１を移動させることができる上、溝の中央部（Ｖ字状の溝の谷底の部分）で確実に被位置調整部２０，２１を保持することができる。特に、表示ユニット１７３は前方側に付勢されているので、位置調整部材１３７，１３８のＶ字状の溝で最も前側に位置する溝の中央部に、被位置調整部２０，２１を保持するのに十分な保持力を確保できる。
【０１６２】
また、被位置調整部２０，２１は、溝（誘導ガイド部１３７ａ，１３８ａ）の内部傾斜面において誘導される際に回転可能なローラ２０ｂ，２１ｂを有する。
【０１６３】
したがって、被位置調整部２０，２１は、溝の内部傾斜面において誘導される際に回転可能なローラ２０ｂ，２１ｂを有するので、表示ユニット１７３がスムーズに所定位置へ誘導される。
【０１６４】
また、位置調整部材１３７，１３８は、Ｖ字状の溝（誘導ガイド部１３７ａ，１３８ａ）が上下方向に形成された第１の位置調整部材１３８と、該Ｖ字状の溝が左右方向に形成された第２の位置調整部材１３８と、から構成され、第１の位置調整部材１３８により表示ユニット１７３の左右方向の位置を調整するとともに、第２の位置調整部材１３７により該表示ユニット１７３の上下方向の位置を調整するようにしている。
【０１６５】
したがって、位置調整部材１３７，１３８は、Ｖ字状の溝が上下方向に形成され、表示ユニット１７３の左右方向の位置を調整する第１の位置調整部材１３８と、該Ｖ字状の溝が左右方向に形成され、表示ユニット１７３の上下方向の位置を調整する第２の位置調整部材１３７と、から構成されているので、表示ユニット１７３の左右方向および上下方向の位置を正確に調整することができる。
【０１６６】
また、表示ユニット１７３を前面枠１２０に配設するための表示枠ユニット１７０を設け、表示枠ユニット１７０は、表示ユニット１７３が（左右方向および／または上下方向に）移動可能な内部収納空間１８３を有している。
【０１６７】
したがって、表示ユニット１７３を前面枠１２０に配設するための表示枠ユニット１７０を設け、表示枠ユニット１７０は、表示ユニット１７３が移動可能な内部収納空間１８３を有しているので、表示ユニット１７３を表示枠ユニット１７０の内部収納空間１８３内に収納し、表示ユニット１７３を前面枠１２０側に配設した上で、表示ユニット１７３の位置を調整する際に確実に当該表示ユニット１７３を移動させることが可能となる。すなわち、表示ユニット１７３の移動空間を確実に確保することができる。
【０１６８】
また、遊技盤１には、当該遊技盤１に形成された開口部１４に挿入されて表示用窓部１２を形成するセンターケース１１が設けられ、遊技盤１の裏面側に、センターケース１１と位置合わせされて配設されるとともに当該遊技盤１の裏面における所要機能を有する裏面構成部材４０を設け、位置調整部材１３７，１３８を裏面構成部材４０に一体的に設けている。
【０１６９】
したがって、遊技盤１には、表示用窓部１２を形成するセンターケース１１が設けられ、遊技盤１の裏面側に、センターケース１１と位置合わせされて配設されるとともに当該遊技盤１の裏面における所要機能を有する裏面構成部材４０を設け、位置調整部材１３７，１３８を裏面構成部材４０に一体的に設けたので、センターケース１１と位置調整部材１３７，１３８との位置を正確に設定することができるようになり、表示用窓部１２に対して表示ユニット１７３を正確な位置に調整することができる。
【０１７０】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７１】
【図１】本発明を適用した実施形態にかかる遊技機の裏面側を示す斜視図である。
【図２】図１の状態から裏機構枠を開放した遊技機の裏面側を示す斜視図である。
【図３】遊技盤の裏面側を示す斜視図である。
【図４】裏機構枠の前面側を示す斜視図である。
【図５】裏機構枠の前面側を示す分解斜視図である。
【図６】表示枠ユニットの裏面側を示す斜視図である。
【図７】表示枠ユニットの前面側を示す図であって、前面クリアカバーを外した状態を示す斜視図である。
【図８】表示枠ユニットの前面側を示す分解斜視図である。
【図９】裏面構成部材の変形例を示す斜視図である。
【図１０】遊技機の制御系の一部を示すブロック図である。
【符号の説明】
【０１７２】
１        遊技盤
１１      センターケース
１２      表示用窓部
１４      開口部
１６      後端部
２０      被位置調整部
２０ｂ    ローラ
２１      被位置調整部
２１ｂ    ローラ
４０      裏面構成部材
１００    遊技機
１２０    前面枠
１３０    前面枠本体
１３７    位置調整部材（第２の位置調整部材）
１３７ａ  誘導ガイド部（Ｖ字状の溝）
１３７ｂ  係合固定部（溝の中央部）
１３８    位置調整部材（第１の位置調整部材）
１３８ａ  誘導ガイド部（Ｖ字状の溝）
１３８ｂ  係合固定部（溝の中央部）
１６０    裏機構枠
１７０    表示枠ユニット
１７３    表示ユニット
１８３    内部収納空間
【図１】
2006320620.tif 000003
【図２】
2006320620.tif 000004
【図３】
2006320620.tif 000005
【図４】
2006320620.tif 000006
【図５】
2006320620.tif 000007
【図６】
2006320620.tif 000008
【図７】
2006320620.tif 000009
【図８】
2006320620.tif 000010
【図９】
2006320620.tif 000011
【図１０】
2006320620.tif 000012